(57)【要約】  パーム油からは、トコクロマノール、カロテノイド、植物ステロールなどのような有価化合物が得られる可能性がある。高度濃縮画分への富化は、関連する膨大な数の成分、非常に低い揮発性、多くの化合物の有機溶媒への非常に低い溶解性、および処理される混合物の高い粘性に妨げられる。新しい方法の出発材料は、パーム油から従来の処理によって、または超臨界二酸化炭素を用いる向流多段階処理によって得られるトコクロマノール（約２０〜約５０重量％）またはカロテノイド（約１０〜約３０重量％）もしくはその両方の富化画分である。本出願では扱われないこれらの処理は、遊離脂肪酸の除去、トリグリセリドのメチルまたはエチルエステルへのエステル交換、例えば短経路蒸留によるエステルの除去、トコクロマノール画分のカロテノイド画分からの冷却による分離を含む。新しい方法では、トコクロマノール、カロテノイド、植物ステロールなどが既にある程度富化された粗製パーム油に由来する画分が、超臨界流体技術によって超臨界流体を用いる選択的吸着および脱着による向流分離の独特の組み合わせで処理される。近臨界流体または超臨界流体の利用による一つまたは複数の分離工程を含む第一富化は、単独または多段階（向流）において分離処理が第二富化工程と適切に組み合わされ、第一富化工程の産物は産物を実質的に圧力を変えず、また同一の（または別の）近臨界流体または超臨界流体による第一分離と同一または異なる圧力でのそれに続く脱着なしに、吸着剤の固定床に通すことによって、もしくは予め計画された圧力および温度シーケンスによって、吸着剤（シリカゲル）に直接吸着される。トコクロマノール富化には近臨界条件の二酸化炭素が二酸化炭素の臨界温度以上で用いられる。カロテノイド富化には近臨界条件のプロパンがプロパンの臨界温度以下で用いられる。【選択図】図２
2009530426.tif 000002
【特許請求の範囲】
【請求項１】
パーム油またはパーム油派生物から天然化合物（トコトリエノール、カロテノイドおよびステロール）を高度富化した画分を製造する方法であって、
上部の揮発性がより高い（超臨界流体または近臨界流体により可溶性である）揮発性物質を取り除き、前記天然化合物を富化した下部画分をもたらす超臨界流体および近臨界流体、もしくは超臨界流体または近臨界流体による向流多段階分離と、上部の前記標的天然化合物を取り除き、さらには低揮発性不純物から標的天然化合物を洗浄する超臨界流体および近臨界流体、もしくは超臨界流体または近臨界流体によるもう一つの向流多段階分離とを含む第１分離工程と、
吸着剤にて超臨界流体または近臨界流体を含む前記向流分離からの前記画分を直接的に吸着する工程とその後に同一または別の超臨界流体または近臨界流体にて前記吸着剤から前記混合物を溶出する工程とによる選択的吸着および脱着、ならびに様々な画分回収を含む第２工程とを備える
ことを特徴とするパーム油またはパーム油派生物から天然化合物の高度富化した画分を製造する方法。
【請求項２】
超臨界二酸化炭素および近臨界プロパン、もしくは超臨界二酸化炭素または近臨界プロパンを、３１３〜３８３Ｋの温度、好ましくは３２３Ｋと３６３Ｋとの間の温度、５〜４５ＭＰａの圧力、好ましくは１０ＭＰａと３０ＭＰａとの間の圧力、溶媒対原材料比が１〜５００、好ましくは５０と３００との間である操作条件で用い、カラム上部の抽出物の還流比を０．１〜５０の範囲で、好ましくは２と２０との間で用いる
ことを特徴とする請求項１記載のパーム油またはパーム油派生物から天然化合物の高度富化した画分を製造する方法。
【請求項３】
請求項１記載のパーム油またはパーム油派生物から天然化合物（トコトリエノール、カロテノイドおよびステロール）を高度富化した画分を製造する方法であって、
第２工程は、同一の圧力および温度でまたは減少した密度で、吸着剤、シリカゲル、好ましくはＺｅｏｆｒｅｅ（登録商標）という特別なシリカゲルに、超臨界流体および近臨界流体である二酸化炭素およびプロパンもしくは二酸化炭素またはプロパンを含む向流分離からの画分を、４から１０の割合で、吸着剤の一部のみが流入する原材料で充填されるように、直接的に吸着することによる選択的吸着および脱着を含み、
一つまたは複数の工程にて、好ましくは二つの圧力工程にて、同一または別の超臨界流体または近臨界流体で脱着（溶出または抽出）が行われ、第１溶出工程において、１２〜１５ＭＰａの範囲より低い圧力で、吸着された混合物中にまだ残っている揮発性がより高い天然化合物が除去され、次いで、第２溶出工程において、２２〜３５ＭＰａの範囲、好ましくは２５ＭＰａの上昇した圧力で、３１３Ｋと３７３Ｋとの間の温度で、揮発性がより低い天然化合物が抽出され、第３溶出工程は、３〜１０ＭＰａ、好ましくは５〜７ＭＰａの条件での近臨界プロパンの使用を含む
ことを特徴とする請求項１記載のパーム油またはパーム油派生物から天然化合物の高度富化した画分を製造する方法。
【請求項４】
請求項１ないし３いずれか記載の、パーム油またはパーム油派生物から天然化合物を高度富化した画分を製造する方法であって、
トコクロマノール画分を製造する
ことを特徴とする請求項１ないし３いずれか記載のパーム油またはパーム油派生物から天然化合物の高度富化した画分を製造する方法。
【請求項５】
請求項１ないし３いずれか記載の、パーム油またはパーム油派生物から天然化合物を高度富化した画分を製造する方法であって、
カロテノイド画分を製造する
ことを特徴とする請求項１ないし３いずれか記載のパーム油またはパーム油派生物から天然化合物の高度富化した画分を製造する方法。
【請求項６】
請求項１ないし３いずれか記載の、パーム油またはパーム油派生物から天然化合物を高度富化した画分を製造する方法であって、
ステロール画分を製造する
ことを特徴とする請求項１ないし３いずれか記載のパーム油またはパーム油派生物から天然化合物の高度富化した画分を製造する方法。
【請求項７】
請求項１ないし３いずれか記載の、パーム油またはパーム油派生物から天然化合物を高度富化した画分を製造する方法であって、
コエンザイムＱ１０を製造する
ことを特徴とする請求項１ないし３いずれか記載のパーム油またはパーム油派生物から天然化合物の高度富化した画分を製造する方法。
【発明の詳細な説明】
【技術分野】
【０００１】
本発明は、超臨界流体および近臨界流体の少なくともいずれか一方を用いて、パーム油またはパーム油派生物から天然化合物の高度富化した画分を製造する方法に関する。
【背景技術】
【０００２】
パーム油からは、例えばトコクロマノール、カロテノイド、植物ステロール等のような有価化合物を得ることができる。高濃度画分への富化は、関連する膨大な数の成分、非常に低い揮発性、多数の化合物の有機溶媒への非常に低い溶解性、および処理される混合物の非常に高い粘性によって妨げられる。
【０００３】
前濃縮された画分の製造例としては、Ｃａｒｏｔｅｃｈ製法が利用される場合がある（図１参照）。Ｃａｒｏｍｉｎ（登録商標）は、約１０％のカロテノイドを含む富化カロテノイドで、粗製パーム油の派生物である。カロテノイドおよびトコトリエノール（ビタミンＥ）を抽出するための統合的方法は、特許文献１の米国特許第５，１５７，１４２号明細書に従って行われ、図１に要約されている。その方法は、粗製パーム油（ＣＰＯ）のメチルエステル（ＦＡＭＥ：脂肪酸メチルエステル）へのエステル交換を伴い、その後に真空蒸着およびその他の工程が続き、カロテン富化層、トコトリエノール富化層が生じる。カロテン富化層およびトコトリエノール富化層は、カロテノイドの最大含有量３０％、および主にトコトリエノールであるトコクロマノールの最大含有量約５０％の高度濃縮製品を製造するために更に濃縮され富化される。従来法による更なる富化は、高粘性、非常に低い揮発性および従来の有機溶媒へに低溶解性のために不可能であることが判明した。主に、トコフェロールである超臨界流体との様々な混合物について数多くの研究が行われてきたにも関らず、粗製パーム油またはその他の天然源からトコクロマノールおよびカロテノイドの両方の高濃度富化画分を製造できる方法はなかった。
【０００４】
図１は、混合されたカロテノイドおよびトコトリエノールの濃縮画分を製造する方法を示す（米国特許第５，１５７，１４２号）。
【０００５】
パーム油に特徴的な橙赤色を与えるカロテンは、トコフェロールと共に油の安定性と栄養的価値とに寄与する。これらの構成物質およびその他の微量構成物質は、パーム油の品質特性に大きく影響する。カロテノイドは多くの場合、天然の脂肪または油、特にパーム油から取り出される。カロテノイドは、けん化されていない蒸留残渣から抽出できる。また、処理過程のいくつかの段階で吸着剤を用いて抽出できる。なお、抽出中には大量の有機溶媒を要する。これまでのところ、吸着プロセスは、天然源からさらに高度な濃縮カロテン画分をもたらしたことはない。その理由は、初期濃度の低さ、カロテン画分の粘性の高さおよび大部分の吸着剤におけるカロテンの不安定性である。より高度に濃縮されたカロテン画分を製造する方法を設計しようとする試みが買う多く行われてきた。
【０００６】
カロテノイドは、生物において最も広範囲に及ぶ重要色素である。最も広く知られたカロテンは、α−，β−，γ−カロテンおよびリコピンである。また、カロテノイドは酸素ラジカルを不活性化できることから、抗癌特性を有することもわかっている。さらに、カロテンはビタミンＡ特性を有する天然化合物であることから、医薬品および栄養製品のための商業的な応用に積極的な役割を果たしてきた［１、２］。
【０００７】
カロテノイドは、落花生、菜種油、ひまわり種子油、綿実油などを含む多くの植物油中にみられる。これらの油中のカロテノイド濃度は一般的に低く、１００ｐｐｍ未満である。その中で、パーム油は、レチノール当量に関してカロテンが最も豊富な天然植物源であり、マレーシアが世界のパーム油生産の最大の割合を占めている。パーム油は、既知の植物油の中で最も高濃度のカロテノイドを含み、油が得られるヤシ果実の種類によって５００〜３０００ｐｐｍの範囲に及ぶ［１、２］。なお、マレーシア産粗製パーム油中のカロテン濃度は５００〜７００ｐｐｍの間で異なり、α−カロテンおよびβ−カロテンの形で総カロテンの最大９０％までとなっている［３］。
【０００８】
最近の市場に見られるカロテンは、化学合成のβ−カロテンまたは藻類のＤｕｎａｌｉｅｌｌａ（ドナリエラ）から抽出されたカロテンである。カロテノイドは、重要性と価値が増大する可能性が最も高く、パーム油からのカロテノイドの取り出しと、その副産物とが重要になる。そして、けん化、尿素処理、選択溶媒抽出、分子蒸留、吸着分離、結晶化、エステル交換およびこれらの処理に続くエステル蒸留など、カロテンをパーム油から取り出すための様々な抽出方法が長年にわたって開発されている［１、４、５］。
【０００９】
トコクロマノール：ビタミンは、人の健康にとって重要な物質である。ビタミンは様々な体内のプロセスを調節しており、多くの生命機能に対して好ましい作用を有する。一般論として、ビタミンは補酵素またはプロホルモンとして作用するものの、抗発癌物質または抗酸化作用のようなその他の機能の多くはまだ研究されていない。ビタミンの大部分は人体で合成することができないので、食物とともに摂取しなければならない。ビタミンは、構造および機能が様々であることから、最初の取り組みは、ビタミン類を水溶性群と脂肪性群とに分類することである。水溶性ビタミンは全身に分布し、ほとんど全ての器官に作用するが、一方で、脂肪性ビタミンは主に膜中に存在する。これらビタミンの血流中の輸送および消化は、十分な量の油脂質およびミセルが存在している場合にのみ行われる。
【００１０】
ビタミンＥは、ビタミンＥ活性を有するトコクロマノール群に由来する８つの物質の総称である。トコクロマノールは、更に二つのグループに細分することができる。即ち、トコフェロールおよびトコトリエノールに細分でき、トコトリエノールは、その炭化水素鎖に３つの不飽和二重結合を有し、トコフェロールは完全不飽和化された炭化水素鎖を有する。トコフェロールおよびトコトリエノールの両サブグループは、クロマン環の置換によってα−，β−，δ−およびγ−トコフェロール（トコトリエノール）と表される４つのホモグロで構成される。トコクロマノールは、臓器の細胞膜中に最も多く見られる脂肪性の抗酸化物質である。γ−トコフェロールは最も高い抗酸化活性を有し、そのため、食品業界および化粧業界で抗酸化剤としてほとんど使用される。それでもなお、最近の研究がその他のトコクロマノールホモグロの後発癌物質または抗腫瘍特性といった更なる機能を報告している。
【００１１】
結果として、全てのホモグロからなる天然のトコクロマノール混合物の需要が確実に増大しつつある。マレーシア産のパーム油は、世界最高のトコクロマノール含有量を有する。粗製パーム油（ＣＰＯ）は、９４重量％のトリグリセリド、３〜４重量％の遊離脂肪酸（ＦＦＡ）から成り、ＣＰＯのわずか１重量％は、トコクロマノール、カロテノイドおよび植物栄養素からなる。パーム油は、多量にまた比較的低価格で入手可能である。パーム油はトコトリエノールの最大の供給源である。トコトリエノールは粗製パーム油の精製および脱臭中に得られる蒸留画分から取り出すことができる。カロテノイドはこの過程で破壊される。したがって、一工程順序で有価化合物（トコトリエノールおよびカロテノイド）の両方を取り出そうと試みるのは合理的である。最も経済的な方法は、これらの有価化合物を粗製パーム油から適切な吸着剤に吸着し、次いで吸着剤からそれら有機化合物を回収することであろう。このようなアプローチは数多くの試みが行われてきたが、今のところ成功していない。よって、別のアプローチの必要性から、パーム油のトリグリセリドを脂肪酸メチルエステルにエステル交換し、真空蒸着により回収する方法が知られている。そして、更なる高度濃縮画分をもたらす方法は、前述の通り混合物特性によって制限される。したがって、別の方法の必要性は明らかである。
【００１２】
本発明である超臨界流体抽出（ＳＦＥ）は、有機溶媒による従来の抽出に代わるものである。ＳＦＥは、溶媒を含まない抽出物を提供することができ、その低い臨界温度によりトコクロマノールの一種であるビタミンのような温度感受性の処理に用いることができる。超臨界流体は、低揮発性成分を溶解することができ、また、これらの成分に対して気相を介した任意の処理を行うことができる。さらに、高粘性溶液は、特に二酸化炭素およびプロパンといった多量の超臨界流体を溶解することにより、粘性を大幅に低下する。その結果、高粘性溶液も処理中に取り扱うことができる。
【００１３】
これらの事実は、しばらくの間それぞれ知られていたにも関らず、向流ＳＦＥ分離およびそれに続く選択的ＳＦＥ脱着によるＳＦＥ吸着によるＳＦＥ吸着の適切な組み合わせによる、トコクロマノールおよびカロテノイドの更なる富化についての特段の効果は認識されていなかった。これまでに達成された最新技術を以下に示す。
【００１４】
トコクロマノール：
近年、超臨界二酸化炭素による天然材用の抽出に関する研究が増えつつある。二酸化炭素の臨界パラメータは、７．４ＭＰａ、３０４．２１Ｋである［６］。これら低臨界パラメータのため、超臨界二酸化炭素を用いることにより、装置の運転に起因するコストを低コスト化でき、また、低臨界温度のため、超臨界二酸化炭素を用いることにより温度感受性材料であっても抽出できる。また、有機溶媒とは逆に、二酸化炭素は、無毒、不燃性および不活性である。さらに、二酸化炭素は、容易に入手可能であり、所望の産物から完全に取り除くことができ、残留物が発生しない。また、二酸化炭素の可溶性は密度で調節することができるので、供給材料によって調節して適用させることができる。これらが超臨界二酸化炭素抽出の分野における膨大な研究の理由である。例えば、イレス外［７］。およびグナイフィード外［８］は、トコフェロールおよびカロテン含量に関して、超臨界ＣＯ２および近臨界プロパンによる赤トウガラシおよびコショウ油の抽出を研究している。超臨界二酸化炭素の溶解性はカロテンを溶解するには不十分であることがわかった。両方の溶媒へのトコフェロールの溶解性は良好であり、ＣＯ２およびプロパン両方にトコフェロールを溶解することができた。また、ナジシャ外［９］およびシシクラ外［１０］は、大豆脱臭剤の蒸留液からの超臨界流体抽出によるトコフェロールの富化を研究している。さらに、オリーブオイル産物の中間物からのスクアレン富化（ドレッシュナー外［３］）および酢酸トコフェロールおよびトコフェロール富化（フレック外［１２］）に関する更なる研究が行われている。
【００１５】
密度による超臨界二酸化炭素の溶解性の調節により、超臨界抽出に高い柔軟性がもたらされる。しかし、二酸化炭素は極性を欠くため、極性物質に対する溶解性は限られる。溶解性を上げる一つの可能性は、超臨界流体二酸化炭素に調節剤を添加することである。一般的な調節剤はイソプロパノール、エタノールおよびプロパンである。調節剤による溶解性の上昇が選択性の低下と対になることが多いという点は軽視すべきでない。そこで、最近の研究は、超臨界抽出前の付加吸着過程に焦点を当てている。吸着剤が異なる成分に対して異なる親和性を持つことから、付加吸着の結果、処理過程の選択性が増す可能性がある。その結果、成分の吸着および脱着が様々な程度で行われる。ワン外［１３］は、超臨界二酸化炭素を溶媒として圧力スイング吸着法を用い、α−トコフェロールおよびスクアレンの分離を研究した。処理過程の第一段階において、原材料は超臨界ＣＯ２と混合され、シリカゲル充填されたカラムに低圧力で入り、そこで原材料はシリカゲルに吸着する。第二段階で、吸着剤は高圧力下において純粋超臨界二酸化炭素でシリカゲルから脱着される。これらの実験の間に、ワン外はα−トコフェロールを２０重量％の原材料から６０重量％に富化することができ、スクアレンを８０重量％から９８重量％に富化することができた。超臨界二酸化炭素中の吸着と脱着に関する理論的研究はレヴァション外［１４］およびゴトウ外［１５］により行われてきた。レヴァションの研究グループは、複合テルペン混合物の超臨界条件下の吸着挙動を説明するためにラングミュアの類似多成分吸着等温線を用い、一方、ゴトウの研究グループはシミュレーションを行うためにＢＥＴ吸着等温線を用いた。両方の研究は、実験データを高精度でシミュレーション可能な数学的モデルを導き出した。
【００１６】
リー外［１６］は、再生粘土上の処理済み大豆油に由来するリン脂質の吸着動態に関する研究を発表した。リーの研究グループは吸着処理について説明するため、吸着前後の濃度を測定することによって反応の運動論的方程式を用いた。システムを説明するために吸着等温線が全く使われていないことから、これは前述の著者等とは全く異なる方法だった。それにも関わらず、リーの研究グループは実験データを予測することが出来る反応方程式を導き出すことができた。超臨界二酸化炭素による改質粘土再生は、カバルカンテ外［１７］およびカルネイロ外［１８］によって研究された。有機物質を吸着する能力が水処理分野においては非常に重要であることから、改質粘土は環境技術において重要な吸着剤である。従って、粘土再生は処理の経済効率において重要な経済的問題である。ツェッツル［１９］は、シリカゲルへの選択的吸着とそれに続く超臨界二酸化炭素下での脱着を応用することによってレモン油からの香気の分離に取り組んだ。リモネンおよびシトラールの脱着曲線が研究され、高精度で実験データを表現するモデルが導入された。
【００１７】
選択的吸着とそれに続く超臨界ＣＯ２による脱着の分離技術の特許は、植物性揮発油からのテルペン分離について出願されている。欧州特許出願公開第０３６３９７１（Ａ２）号明細書［２０］には、このような処理について記載されている。植物性揮発油は一定温度で撹拌することによって、吸着剤と混合され、次に超臨界ＣＯ２で抽出される。処理される油が低粘性であるためにこれが可能である。
【００１８】
カロテノイドについて
特開２００２−２２６７２３号公報［２１］は、パーム油からのカロテン富化方法を示している。パーム油は、最初にエステル交換される。次いで、このエステルを濃縮エステル層に分離するために、メタノールなどの親水性の溶媒で抽出する。次いで、この濃縮物は、カロテンを吸着するためにシリカゲルを充填したカラムに供される。次いで、カロテンは、約４０００ｐｐｍのアセトンを含むヘキサンを用いて脱着される。
【００１９】
富カロテン濃縮物の吸着濃縮も、米国特許第６０７２０９２号公報［２２］に用いられており、シリカゲルが吸着剤として使用され、多量の非極性溶媒がカロテンを回収するために用いられる。
【００２０】
欧州特許第０２４２１４８号明細書［２３］には、シリカゲルまたは活性アルミナを吸着剤として、ならびに所定量の極性溶媒を含む非極性溶媒をカロテン富化のための溶離剤として用いる同様の方法が記載されている。
【００２１】
特開昭６３−１３２８７１号公報［２４］には、ゼオライトを吸着剤として利用し、例えば四塩化炭素等の非極性溶媒を溶離剤として利用するカロテン富化方法が記載されている。
【００２２】
米国特許第５１５７１３２号明細書［２５］は、エステル交換およびけん化を通じて油からカロテンを回収する方法が記載されている。富化カロテンは、けん化された残留物から有機溶媒で抽出することもできる。得られた残留物は２０％のカロテン含量を有する。また、欧州特許第１３９８３１１号明細書［２６］にも同様の方法が記載されている。１０％〜２０％のカロテン濃度を得ることができる。
【００２３】
独国特許第４４２９５０６号明細書［２７］は、乾燥材料からのプロパンまたはブタンによるカロテノイド抽出を示している。両気体の溶解性は、共溶媒が用いられる場合に大いに改善され得ることが分かった。
【００２４】
参考文献
１．  Ｙ．Ｍ．チュー（Ｙ．Ｍ．Ｃｈｏｏ）著：「パーム油カロテノイド（Ｐａｌｍ  Ｏｉｌ  Ｃａｒｏｔｅｎｏｉｄｓ）」、国連大学出版（Ｔｈｅ  Ｕｎｉｔｅｄ  Ｎａｔｉｏｎｓ  Ｕｎｉｖｅｒｓｉｔｙ  Ｐｒｅｓｓ）、食物と栄養紀要（Ｆｏｏｄ  ａｎｄ  Ｎｕｔｒｉｔｉｏｎ  Ｂｕｌｌｅｔｉｎ）、ｐ.１５（１９９４年）
２．  Ｃ．レンファント（Ｃ．Ｌｅｎｆａｎｔ）、Ｆ．Ｃ．ティリオン（Ｆ．Ｃ．Ｔｈｙｒｉｏｎ）著：「パーム油からのカロテノイド抽出  Ｉ（Ｅｘｔｒａｃｔｉｏｎ  ｏｆ  Ｃａｒｏｔｅｎｏｉｄｓ  Ｆｒｏｍ  Ｐａｌｍ  Ｏｉｌ，Ｉ）」、β−カロテンの物理的および化学的特性（Ｐｈｙｓｉｃａｌ  ａｎｄ  Ｃｈｅｍｉｃａｌ  Ｐｒｏｐｅｒｔｉｅｓ  ｏｆ  β−Ｃａｒｏｔｅｎｅ）、Ｖｏｉｒ  ＯＣＬ  ３、３（１９９６年）、ｐ．２２０〜２２６
３．  Ｓ．Ｈ．ゴー（Ｓ．Ｈ．Ｇｏｈ）、Ｙ．Ｍ．チュー（Ｙ．Ｍ．Ｃｈｏｏ）、Ｓ．Ｈ．オング（Ｓ．Ｈ．Ｏｎｇ）著：「パーム油の微量構成物質（Ｍｉｎｏｒ  Ｃｏｎｓｔｉｔｕｅｎｔｓ  ｏｆ  Ｐａｌｍ  Ｏｉｌ）」、米国オイル化学学会誌６２（Ｊ．Ａｍ．Ｏｉｌ  Ｃｈｅｍ．Ｓｏｃ．６２）（１９８５年）、ｐ．２３７〜２４０
４．  Ｂ．Ｓ．バハリン（Ｂ．Ｓ．Ｂａｈａｒｉｎ）、Ｌ．Ｌ．ユー（Ｌ．Ｌ．Ｙｏｕ）、Ｙ．Ｂ．チェ・マン（Ｙ．Ｂ．Ｃｈｅ  Ｍａｎ）、およびＳ．タカギ（Ｓ．Ｔａｋａｇｉ）著：「粗製およびゴムを除去されたパーム油からのカロテンのクロマトグラフィー分離に対する脱ガム処理の効果（Ｅｆｆｅｃｔ  ｏｆ  Ｄｅｇｕｍｍｉｎｇ  Ｐｒｏｃｅｓｓ  ｏｎ  Ｃｈｒｏｍａｔｏｇｒａｐｈｉｃ  Ｓｅｐａｒａｔｉｏｎ  ｏｆ  Ｃａｒｏｔｅｎｅｓ  ｆｒｏｍ  Ｃｒｕｄｅ  ａｎｄ  Ｄｅｇｕｍｍｅｄ  Ｐａｌｍ  Ｏｉｌ）」、食物脂質誌８（Ｊｏｕｒｎａｌ  ｏｆ  Ｆｏｏｄ  Ｌｉｐｉｄｓ  ８）（２００１年）、ｐ．２７〜３５
５．  Ｃ．レンファント（Ｃ．Ｌｅｎｆａｎｔ）、Ｆ．Ｃ．ティリオン（Ｆ．Ｃ．Ｔｈｙｒｉｏｎ）著：「パーム油からのカロテノイド抽出ＩＩ（Ｅｘｔｒａｃｔｉｏｎ  ｏｆ  Ｃａｒｏｔｅｎｏｉｄｓ  Ｆｒｏｍ  Ｐａｌｍ  Ｏｉｌ，ＩＩ）、単離方法（Ｉｓｏｌａｔｉｏｎ  Ｍｅｔｈｏｄｓ）」、Ｖｏｉｒ  ＯＣＬ  ３、４（１９９６年）、ｐ．２９４〜３０７
６．  ＶＤＩ著：「ＶＤＩ熱アトラス（Ｗａｒｍｅａｔｌａｓ）」、ＶＤＩ出版有限責任会社（ＶＤＩ  Ｖｅｒｌａｇ  ＧｍｂＨ）（１９８８年）
７．  Ｖ．Ｉｌｌ´ｅｓ、Ｈ．Ｇ．Ｄａｏｏｄ、Ｐ．Ａ．Ｂｉａｃｓ、Ｍ．Ｈ．Ｇｎａｙｆｅｅｄ、Ｂ．Ｍ´ｅｓｚ´ａｒｏｓ著：「カロテノイドおよびトコフェロール含量に関するスパイス赤トウガラシ油の超臨界ＣＯ２および超臨界プロパン抽出（Ｓｕｐｅｒｃｒｉｔｉｃａｌ  ＣＯ２  ａｎｄ  Ｓｕｂｃｒｉｔｉｃａｌ  Ｐｒｏｐａｎｅ  Ｅｘｔｒａｃｔｉｏｎ  ｏｆ  Ｓｐｉｃｅ  Ｒｅｄ  Ｐｅｐｐｅｒ  Ｏｉｌ  ｗｉｔｈ  Ｓｐｅｃｉａｌ  Ｒｅｇａｒｄ  ｔｏ  Ｃａｒｏｔｅｎｏｉｄ  ａｎｄ  Ｔｏｃｏｐｈｅｒｏｌ  Ｃｏｎｔｅｎｔ）」、クロマトグラフ科学誌、第３７巻（Ｊｏｕｒｎａｌ  ｏｆ  Ｃｈｒｏｍａｔｏｇｒａｐｈｉｃ  Ｓｃｉｅｎｃｅ，ｖｏｌ．３７）（１９９９年）
８．  Ｍ．Ｈ．Ｇｎａｙｆｅｅｄ、Ｈ．Ｇ．Ｄａｏｏｄ、Ｖ．Ｉｌｌ´ｅｓ、Ｐ．Ａ．Ｂｉａｃｓ著：「刺激性パプリカの超臨界ＣＯ２および近臨界プロパン抽出ならびにカロテノイド、トコフェロール、およびカプサイシノイドの定量化（Ｓｕｐｅｒｃｒｉｔｉｃａｌ  ＣＯ２  ａｎｄ  Ｓｕｂｃｒｉｔｉｃａｌ  Ｐｒｏｐａｎｅ  Ｅｘｔｒａｃｔｉｏｎ  ｏｆ  Ｐｕｎｇｅｎｔ  Ｐａｐｒｉｋａ  ａｎｄ  Ｑｕａｎｔｉｆｉｃａｔｉｏｎ  ｏｆ  Ｃａｒｏｔｅｎｏｉｄｓ，Ｔｏｃｏｐｈｅｒｏｌｓ  ａｎｄ  Ｃａｐｓａｉｃｉｎｏｉｄｓ）」、農業食品化学誌４９（Ａｇｒｉｃ．Ｆｏｏｄ  Ｃｈｅｍ．４９）、ｐ．２７６１〜２７６６（２００１年）
９．  Ｇ．Ｋ．ナジシャ（Ｇ．Ｋ．Ｎａｇｅｓｈａ）、Ｂ．マノハー（Ｂ．Ｍａｎｏｈａｒ）、Ｋ．ウダヤ・サンカー（Ｋ．Ｕｄａｙａ  Ｓａｎｋａｒ）著：「超臨界二酸化炭素抽出を用いる改質大豆脱臭剤蒸留物中のトコフェロールの富化（Ｅｎｒｉｃｈｍｅｎｔ  ｏｆ  ｔｏｃｏｐｈｅｒｏｌｓ  ｉｎ  ｍｏｄｉｆｉｅｄ  ｓｏｙ  ｄｅ−ｏｄｏｒｉｚｅｒ  ｄｉｓｔｉｌｌａｔｅ  ｕｓｉｎｇ  ｓｕｐｅｒｃｒｉｔｉｃａｌ  ｃａｒｂｏｎ  ｄｉｏｘｉｄｅ  ｅｘｔｒａｃｔｉｏｎ）」、欧州食物研究技術２１７（Ｅｕｒ．Ｆｏｏｄ  Ｒｅｓ．Ｔｅｃｈｎｏｌ．２１７）：ｐ．４２７〜４３３（２００３年）
１０．  Ａ．シシクラ（Ａ．Ｓｈｉｓｈｉｋｕｒａ）、Ｋ．フジモト（Ｋ．Ｆｕｊｉｍｏｔｏ）、Ｔ．カネダ（Ｔ．Ｋａｎｅｄａ）、Ｋ．アライ（Ｋ．Ａｒａｉ）、Ｓ．サイトウ（Ｓ．Ｓａｉｔｏ）著：「超臨界流体抽出による大豆スラッジからのトコフェロールの濃縮（Ｃｏｎｃｅｎｔｒａｔｉｏｎ  ｏｆ  Ｔｏｃｏｐｈｅｒｏｌｓ  ｆｒｏｍ  Ｓｏｙｂｅａｎ  Ｓｌｕｄｇｅ  ｂｙ  Ｓｕｐｅｒｃｒｉｔｉｃａｌ  Ｆｌｕｉｄ  Ｅｘｔｒａｃｔｉｏｎ）」、日本油化学誌３７、第１号（Ｊｐｎ．Ｏｉｌ  Ｃｈｅｍ．Ｓｏｃ．３７，Ｎｏ．１）（１９８８年）
１１．  Ｍ．ドレッシュナー（Ｍ．Ｄｒｅｓｃｈｎｅｒ）、Ｍ．ボナクダー（Ｍ．Ｂｏｎａｋｄａｒ）著：「Ａｎｒｅｉｃｈｅｒｕｎｇ  ｄｅｓ  Ｋｏｈｌｅｎｗａｓｓｅｒｓｔｏｆｆｅｓ  Ｓｑｕａｌｅｎ  ｉｎ  ｅｉｎｅｍ  Ｚｗｉｓｃｈｅｎｐｒｏｄｕｋｔ  ｄｅｒ  Ｏｌｉｖｅｎｏｌｈｅｒｓｔｅｌｌｕｎｇ  ｄｕｒｃｈ  Ｅｘｔｒａｋｔｉｏｎ  ｍｉｔ  ｖｅｒｄｉｃｈｔｅｔｅｍ  Ｋｏｈｌｅｎｄｉｏｘｉｄ」、化学工学技術７３（Ｃｈｅｍｉｅ  Ｉｎｇｅｎｉｅｕｒ  Ｔｅｃｈｎｉｋ  ７３）、ｐ．３３８〜３４２（２００１年）
１２．  Ｕ．フレック（Ｕ．Ｆｌｅｃｋ）著：「Ｒｅｉｎｉｇｕｎｇ  ｓｃｈｗｅｒ  ｆｌｕｃｈｔｉｇｅｒ  Ｓｕｂｓｔａｎｚｅｎ  ｍｉｔｔｅｌｓ  Ｅｘｔｒａｋｔｉｏｎ  ｍｉｔ  ｕｂｅｒｋｒｉｔｉｓｃｈｅｎ  Ｇａｓｅｎ」、ハンブルク−ハールブルク工科大学、学位論文（Ｄｉｓｓｅｒｔａｔｉｏｎ，Ｔｅｃｈｎｉｓｃｈｅ  Ｕｎｉｖｅｒｓｉｔａｔ  Ｈａｍｂｕｒｇ−Ｈａｒｂｕｒｇ）（２０００年）
１３．  Ｈ．ワン（Ｈ．Ｗａｎｇ）、Ｍ．ゴトウ（Ｍ．Ｇｏｔｏ）、Ｍ．ササキ（Ｍ．Ｓａｓａｋｉ）、Ｔ．ヒロセ（Ｔ．Ｈｉｒｏｓｅ）著：「超臨界二酸化炭素中の圧力スイング吸着法によるα−トコフェロールおよびスクアレンの分離（Ｓｅｐａｒａｔｉｏｎ  ｏｆ  α−Ｔｏｃｏｐｈｅｒｏｌ  ａｎｄ  Ｓｑｕａｌｅｎｅ  ｂｙ  Ｐｒｅｓｓｕｒｅ  Ｓｗｉｎｇ  Ａｄｓｏｒｐｔｉｏｎ  ｉｎ  Ｓｕｐｅｒｃｒｉｔｉｃａｌ  Ｃａｒｂｏｎ  Ｄｉｏｘｉｄｅ）」、産業工業化学研究４３（Ｉｎｄ．Ｅｎｇ．Ｃｈｅｍ．Ｒｅｓ．４３）、ｐ．２７５３〜２７５８（２００４年）
１４．  Ｅ．Ｒｅｖｅｒｃｈｏｎ、Ｇ．Ｌａｍｂｅｒｔｉ、Ｐ．Ｓｕｂｒａ著：「複合テルペン混合物の超臨界吸着のモデル化およびシミュレーション（Ｍｏｄｅｌｌｉｎｇ  ａｎｄ  ｓｉｍｕｌａｔｉｏｎ  ｏｆ  ｔｈｅ  ｓｕｐｅｒｃｒｉｔｉｃａｌ  ａｄｓｏｒｐｔｉｏｎ  ｏｆ  ｃｏｍｐｌｅｘ  ｔｅｒｐｅｎｅ  ｍｉｘｔｕｒｅｓ）」、化学工業科学５３（Ｃｈｅｍｉｃａｌ  Ｅｎｇｉｎｅｅｒｉｎｇ  Ｓｃｉｅｎｃｅ  ５３）、ｐ．３５３７〜３５４４（１９９８年）
１５．  Ｍ．ゴトウ（Ｍ．Ｇｏｔｏ）、Ｂ．Ｃ．ロイ（Ｂ．Ｃ．Ｒｏｙ）、Ａ．コダマ（Ａ．Ｋｏｄａｍａ）、Ｔ．ヒロセ（Ｔ．Ｈｉｒｏｓｅ）著：「溶質−固体相互作用を伴うモデル化超臨界流体抽出過程（Ｍｏｄｅｌｌｉｎｇ  Ｓｕｐｅｒｃｒｉｔｉｃａｌ  Ｆｌｕｉｄ  Ｅｘｔｒａｃｔｉｏｎ  Ｐｒｏｃｅｓｓ  Ｉｎｖｏｌｖｉｎｇ  Ｓｏｌｕｔｅ−Ｓｏｌｉｄ  Ｉｎｔｅｒａｃｔｉｏｎ）」、日本化学工学誌３１（Ｊｏｕｒｎａｌ  ｏｆ  Ｃｈｅｍｉｃａｌ  Ｅｎｇｉｎｅｅｒｉｎｇ  ｏｆ  Ｊａｐａｎ  ３１）、ｐ．１７１〜１７７（１９９８年）
１６．  Ｃ．Ｈ．リー（Ｃ．Ｈ．Ｌｅｅ）、Ｃ．Ｉ．リン（Ｃ．Ｉ．Ｌｉｎ）著：「水和およびアルカリ精製された大豆油からの再生粘土を用いるリン脂質の吸着動態（Ｋｉｎｅｔｉｃｓ  ｏｆ  Ａｄｓｏｒｐｔｉｏｎ  ｏｆ  Ｐｈｏｓｐｈｏｌｉｐｉｄｓ  ｆｒｏｍ  Ｈｙｄｒａｔｅｄ  ａｎｄ  Ａｌｋａｌｉ−Ｒｅｆｉｎｅｄ  Ｓｏｙ  Ｏｉｌ  Ｕｓｉｎｇ  Ｒｅｇｅｎｅｒａｔｅｄ  Ｃｌａｙ）」、日本化学工学誌３７（Ｊｏｕｒｎａｌ  ｏｆ  Ｃｈｅｍｉｃａｌ  Ｅｎｇｉｎｅｅｒｉｎｇ  ｏｆ  Ｊａｐａｎ  ３７）、ｐ．７６４〜７７１（２００４年）
１７．  Ａ．Ｍ．カバルカンテ（Ａ．Ｍ．Ｃａｖａｌｃａｎｔｅ）、Ｌ．Ｇ．トレス（Ｌ．Ｇ．Ｔｏｒｒｅｓ）、Ｇ．Ｌ．Ｖ．コエーリョ（Ｇ．Ｌ．Ｖ．Ｃｏｅｌｈｏ）著：「改質粘土への酢酸エチルの吸着および超臨界ＣＯ２によるその再生（Ａｄｓｏｒｐｔｉｏｎ  ｏｆ  Ｅｔｈｙｌ  Ａｃｅｔａｔｅ  ｏｎｔｏ  Ｍｏｄｉｆｉｅｄ  Ｃｌａｙｓ  ａｎｄ  ｉｔｓ  Ｒｅｇｅｎｅｒａｔｉｏｎ  ｗｉｔｈ  Ｓｕｐｅｒｃｒｉｔｉｃａｌ  ＣＯ２）」、ブラジル化学工学誌第２２巻、第１号（Ｂｒａｚｉｌｉａｎ  Ｊｏｕｒｎａｌ  ｏｆ  Ｃｈｅｍｉｃａｌ  Ｅｎｇｉｎｅｅｒｉｎｇ，Ｖoｌ．２２，Ｎｏ．１）、ｐ．７５〜８２（２００５年）
１８．  Ｄ．Ｇ．Ｐ．カルネイロ（Ｄ．Ｇ．Ｐ．Ｃａｒｎｅｉｒｏ）、Ｍ．Ｆ．メンデス（Ｍ．Ｆ．Ｍｅｎｄｅｓ）、Ｇ．Ｌ．Ｖ．コエーリョ（Ｇ．Ｌ．Ｖ．Ｃｏｅｌｈｏ）著：「超臨界二酸化炭素を用いた改質粘土からのトルエンの脱着（Ｄｅｓｏｒｐｔｉｏｎ  ｏｆ  Ｔｏｌｕｅｎｅ  ｆｒｏｍ  Ｍｏｄｉｆｉｅｄ  Ｃｌａｙｓ  ｕｓｉｎｇ  Ｓｕｐｅｒｃｒｉｔｉｃａｌ  Ｃａｒｂｏｎ  Ｄｉｏｘｉｄｅ）」、ブラジル化学工学誌  第２１巻、第４号（Ｂｒａｚｉｌｉａｎ  Ｊｏｕｒｎａｌ  ｏｆ  Ｃｈｅｍｉｃａｌ  Ｅｎｇｉｎｅｅｒｉｎｇ  Ｖｏｌ．２１，Ｎｏ．４）、ｐ．６４１〜６４６（２００４年）
１９．  Ｃ．ツェル（Ｃ．Ｚｅｔｚｌ）著：「ｅｓｏｒｐｔｉｏｎ  ｖｏｎ  Ｓａｕｅｒｓｔｏｆｆｖｅｒｂｉｎｄｕｎｇｅｎ  ｄｅｓ  Ｚｉｔｒｕｓｏｌｓ  ｄｕｒｃｈ  ｕｂｅｒｋｒｉｔｉｓｃｈｅｓ  ＣＯ２」、カールスルーエ大学、熱プロセス工学研究所、卒業研究（Ｄｉｐｌｏｍａｒｂｅｉｔ，Ｉｎｓｔｉｔｕｔ  ｆｕｒ  Ｔｈｅｒｍｉｓｃｈｅ  Ｖｅｒｆａｈｒｅｎｓｔｅｃｈｎｉｋ  ａｎ  ｄｅｒ  Ｕｎｉｖｅｒｓｉｔａｔ  Ｋａｒｌｓｒｕｈｅ）（１９９４年）
２０．  欧州特許出願公開第０３６３９７１（Ａ２）号明細書
２１．  特開２００２−２２６７２３号公報
２２．  米国特許第６０７２０９２号明細書
２３．  欧州特許第０２４２１４８号明細書
２４．  特開昭６３−１３２８７１号公報
２５．  米国特許第５１５７１３２号明細書
２６．  欧州特許第１３９８３１１号明細書
２７．  独国特許第４４２９５０６号明細書
【発明の開示】
【発明が解決しようとする課題】
【００２５】
上記の技術は、カロテノイド濃縮物を得るために溶離剤として多量の有機溶媒および蒸留による溶媒回収が必要である。本発明に係る新しい方法では、濃縮物を得るためにプロパンおよび超臨界ＣＯ２のみが溶媒として低温で用いられる。これら溶媒は、膨張によって容易に取り除くことができる。
【００２６】
食用油からの植物ステロールの富化およびトコクロマノールの富化に超臨界二酸化炭素およびその他の圧縮ガスを用いる上記文献中のほとんどの技術は、ここで処理される非常に低い濃度の成分から開始する。したがって、これらの研究の主な焦点は、トリグリセリドまたはＦＡＭＥのような物質から油を激減させることにあり、それはこれらが油またはエステル化油それぞれを処理する場合に圧倒的に優れた物質であるためである。さらに、一番多く述べられている方法は、バッチ式で行われる方法である。したがって、既に富化されたパーム油派生物から開始して、吸着や脱着操作により連続運転の抽出カラムの組み合わせおよびそれに続く抽出を使用する本発明で述べられた方法はまだ応用されていない。
【発明を実施するための最良の形態】
【００２７】
トコクロマノール群のビタミン化合物およびカロテノイドは、以下に述べられる方法で天然油から生じる混合物が富化される。これらの混合物は、脂肪酸メチルエステルまたは脂肪酸エチルエステル、スクアレン、モノグリセリド、ジグリセリド、ステロールおよび標的化合物を含む。
【００２８】
超臨界二酸化炭素を溶媒として用いて、第１分離シーケンスにおいて（図２、カラムＣ１およびＣ２）、向流操作される分離カラム上部では、トコクロマノールまたはカロテノイドからこれら標的化合物よりも超臨界二酸化炭素に対して溶解性が高い化合物が除去され、分離カラム下部では、溶解性がより低い化合物が除去される。この方法は、トコクロマノールにてついては約７０重量％の濃度、カロテノイドについては約３０重量％の濃度をもたらす。この分離の詳細は下記の通りである。
【００２９】
第２シーケンスでは、以下の向流プロセスの直後に続いて、混合物は、選択的な吸着および脱着の工程によって処理される（図２、吸着剤Ａ１、Ａ２、Ａ３）。吸着は、超臨界流体または近臨界流体および標的化合物を含む向流分離カラムから引き出されたマスフローから行われ、吸着剤に直接投入される。このように、高粘性溶液または固溶体の取り扱いが可能になる。次いで、原材料混合物を充填した固定床から脱着が行われる。脱着は、同じ超臨界流体または近臨界流体、もしくは異なる流体または連続した二つまたは複数の前記溶媒で行ってもよい。脱着は、吸着と比べて異なる条件、即ち異なる値のガスの圧力、温度、流速でも行われる。超臨界溶媒または近臨界流体は、超臨界流体または近臨界流体の混合物、好ましくは二酸化炭素およびプロパンの混合物を含んでもよい。
【００３０】
吸着および脱着による分離は、吸着剤全体を原材料混合物で満たさずに吸着剤の一部のみを満たすことによって改善され得ることがわかった。脱着の間、一連の吸着および脱着工程が行われ、分離効率、ひいては分離画分の濃度が上昇する。吸着剤の固定床の遊離部分に対する第１吸着部分の割合は可変であり、通常、０．５〜０．１である。
【００３１】
図２は、ＳＦＥ技術によるトコクロマノールおよびカロテノイドの濃縮方法の工程図である。
【００３２】
トコクロマノール
パーム油由来混合物からのトコトリエノールを主に含む高度富化トコクロマノール画分製造のための新しい方法は、カラム上部のより軽い揮発性物質、（即ち、超臨界化合物（二酸化炭素）中にてより溶解性の高い化合物）を除去するために、超臨界流体、好ましくは二酸化炭素を用いる連続的な向流多段階分離を兼ね備える。カラム下部は、ステロールおよびその他のやや極性がある化合物を比較的高含量で含むトコトリエノール富化画分である。この下部画分は、適切な吸着剤に通される。シリカゲルが適用可能な吸着剤であることが分かった。吸着された混合物は、超臨界流体、好ましくは二酸化炭素によって、２工程の脱着工程により脱着される。第１の脱着工程は、約１４０ｂａｒの圧力にて行われ、揮発性がより高い化合物、または超臨界二酸化炭素により可溶な化合物を除去する。第２の脱着工程は、約２５０ｂａｒの圧力にて行われ、主にトコトリエノールを含む高度富化トコクロマノール画分が抽出される。抽出された画分は、別の容器に採取することによって更に分割することもできる。画分の分け方によって、トコトリエノール濃度は原材料混合物の約５０％の収率の、８５％から略１００％までの範囲におよぶ。吸着剤はエタノールなどの液体溶剤によって再生され、吸着工程に再利用される。
【００３３】
いくつかの方法によって得ることができる前富化画分から開始する方法は、メタノールによるグリセリドのエステル交換、および短経路蒸着による、または二酸化炭素のような超臨界流体による抽出で得られた脂肪酸エステルの除去を含む場合がある。例えば、第１抽出工程にための出発材料は、５６重量％のトコクロマノール（γ−トコトリエノール、α−トコトリエノールおよびα−トコフェロールを主要成分として含む。）、１６重量％のスクアレン、５重量％の植物ステロール（β−シトステロールおよびカンペステロールを最も顕著な種類とする。）、ならびに１１重量％のモノグリセリドおよびジグリセリドを数ある物質の中に含むパーム油は生物だった。この材料は、溶媒として超臨界二酸化炭素を利用する連続運転の抽出カラムに供給された。カラムは、ＳｕｌｚｅｒＥＸ規則充填物で充填され、内径１７．５ｍｍで全高７ｍを有し、その６ｍが充填された。２０〜３０ＭＰａの圧力および３２３〜３５８Ｋの温度を用いて、特にＦＡＭＥ、スクアレンおよびモノグリセリドのみを抽出し、したがって、植物ステロールおよび残留物を含むおそらくより極性が高い化合物であるその他大部分とともに、約７０％トコクロマノールに富化された下部生成物を得ることで、ステロールおよびトコクロマノールを含まない上部生成物を製造することができる。
【００３４】
より長いカラムであれば、下層部から高揮発性成分を完全に除去できる。化学工学的方法によって、ＦＡＭＥ、スクアレンおよびモノグリセリドをトコクロマノール、ステロールおよびその他の低揮発性成分から完全分離するために必要な高さを算出した。結果は、これらの成分の完全分離は、約１５ｍのカラムの高さで、溶媒体原材料比が８０対１４０、還流比が６〜１２、温度が３２３Ｋおよび圧力が２０〜２５ＭＰａに相当する１３段の理論分離段数で可能であるというものだった。
【００３５】
理論的に、トコトリエノールの更なる富化は、超臨界流体を用いる別の向流分離を利用することによって可能なはずである。実験的研究は、トコトリエノールが富化された下部生成物の超臨界二酸化炭素中の溶解度は分離工程のための溶媒とするには低すぎることを明らかにした。従って、溶解性を高めるために、調節剤を基本の超臨界流体である二酸化炭素と混合した。下記の溶媒組成を詳しく調べた。すなわち、プロパン含量が２９、５５、および８３％のＣＯ２＋プロパン、および、それぞれの濃度が５および１０重量％であるＣＯ２＋液状有機溶媒すなわちエタノール、イソプロパノール、１−ブタノールおよび酢酸エチルである。測定は、プロパンを用いる実験の場合には５〜３０ＭＰａの範囲の圧力で３２３、３４３、および３５８Ｋの温度で、液体調節剤を用いる実験の場合には２０ＭＰａの固定圧力で３２３および３４３Ｋの温度でそれぞれ行われた。検討した全ての条件において低揮発性化合物の濃度は気相中で富化されたが、トコトリエノールに関する選択性はステロールが気相に溶解する程度まで減少し、従ってトコトリエノール濃度を更に富化することが不可能になる。
【００３６】
驚くべきことに、下部材料が特別なシリカゲルと混合され、次にこの吸着剤から超臨界二酸化炭素で脱着または抽出された場合には、分離係数は高いままで、上昇さえしたことがわかった。第一富化工程からの下部生成物は所定の量の吸着剤（シリカゲル）と４〜１０の割合で混合された。混合物は固定床としてカラムに導入された。次に、超臨界流体（二酸化炭素）を約１４ＭＰａの圧力と約３３３Ｋの温度で加え、脂肪酸エステルおよびスクアレンなどといった残りの高揮発性成分が脱着された。第二脱着（抽出）工程では、ほとんど同じ温度だが約２５ＭＰａの更に高い圧力にてトコトリエノールが高濃度で脱着された。原材料に対する吸収剤の割合が１０、超臨界二酸化炭素の溶媒比が約３００［ｋｇＣＯ２／ｋｇ原材料および時間］で、原材料の２７％の画分がトコトリエノール７５％の濃度で１時間で得られ、その画分の後、トコトリエノール１００％の濃度で原材料の２５％の別の画分がもう一時間で回収される可能性がある。二酸化炭素およびプロパンの混合物による実験は、可溶性を高めることができた一方で選択性は維持されることを示した。従って、溶媒比は純粋なＣＯ２を用いる場合よりも低い可能性がある。
【００３７】
発明の説明：カロテノイド
カロテノイド濃縮物（１〜１０重量％）は、５段階高圧ミキサ・セトラとして組み立てられた連続運転の抽出装置に供給される。この装置による三つの分離シーケンスで、２０ＭＰａ〜３０ＭＰａの圧力および３２３Ｋ〜３５８Ｋの温度において、最大３０重量％までのカロテノイドを含む生成物を製造することが可能だった。この生成物を特別なシリカゲル、好ましくはＺｅｏｆｒｅｅ５１７０である吸着剤に通し、この吸着剤によってカロテノイド、ステロイド、およびその他の物質、ならびに脂肪酸エステルの混合物が吸着される。混合比は４から１０の範囲である。続いて、充填された吸着剤を例えば５ＭＰａと３２３Ｋ、好ましくは２〜７ＭＰａと３１３〜３４３Ｋの範囲の条件にて、最初に超臨界二酸化炭素と接触させ、次に近臨界プロパンと接触させる。二酸化炭素によって主に非カロテノイドが脱着されて溶出され、近臨界プロパンでカロテノイドが脱着される。原材料に対するプロパンの溶媒比は、２０から１００の範囲、好ましくは約３０である。吸着工程において吸着剤の画分のみが原材料に充填された場合には、溶出したカロテノイドの濃度が高められた。
【００３８】
実施例：トコクロマノール
実施例１：第１抽出工程
連続運転の多段階超臨界抽出が、純粋二酸化炭素を溶媒として、５０重量％のトコクロマノール（γ−トコトリエノール、α−トコトリエノール、およびα−トコフェロールを主要成分として含む）、１６重量％のスクアレン、３重量％の植物ステロール（β−シトステロールおよびカンペステロールを最も顕著な種類とする）、ならびに１１重量％のモノグリセリドおよびジグリセリドを含む原材料混合物で行われた。使用されたカラムは６ｍの有効高度を有し、ＳｕｌｚｅｒＥＸ規則充填物で充填された。操作条件は、以下の通りであり、すなわち、２０ＭＰａ、３２３Ｋ、溶媒対原材料比＝１９．８、還流比＝７．３。これらの条件は、２重量％のＦＡＭＥ、５８重量％のスクアレンからなる上層生成物をもたらし、トコクロマノールおよび植物ステロールから完全に取り除かれた。下部生成物は、８重量％のスクアレン、５８重量％のトコクロマノール、４重量％の植物ステロールからなり、ＦＡＭＥを全く含まなかった。
【００３９】
実施例２：第１抽出工程
連続運転の多段階超臨界抽出が、純粋二酸化炭素を溶媒として、５０重量％のトコクロマノール（γ−トコトリエノール、α−トコトリエノール、およびα−トコフェロールを主要成分として含む）、１６重量％のスクアレン、３重量％の植物ステロール（β−シトステロールおよびカンペステロールを最も顕著な種類とする）、ならびに１１重量％のモノグリセリドおよびジグリセリドを含む原材料混合物で行われた。使用されたカラムは６ｍの有効高度を有し、ＳｕｌｚｅｒＥＸ規則充填物で充填された。操作条件は、以下の通りであり、すなわち、２０ＭＰａ、３４３Ｋ、溶媒対原材料比＝４０．３、逆流比＝１．３。これらの条件は、２重量％のＦＡＭＥ、６０重量％のスクアレン、２重量％のトコクロマノールおよび１重量％のステロールを含む上層生成物をもたらした。下部生成物は、７重量％のスクアレン、５４重量％のトコクロマノール、４重量％の植物ステロールを含み、ＦＡＭＥを全く含まなかった。
【００４０】
実施例３：トコトリエノールの濃縮画分の製造−１
実施例１から得られた１ｇの下部生成物が原材料として用いられ、１０ｇのシリカゲル、Ｚｅｏｆｒｅｅ５１７０と混合された。混合物は空の容器に導入され、ＦＡＭＥおよびスクアレンを脱着するために超臨界ＣＯ２が１３ＭＰａおよび３３３Ｋで１２０分間用いられた。圧力は２５ＭＰａに加圧され、６０分後、８０重量％のトコクロマノールを含む１画分（０．２７ｇ）が回収された。圧力は更に６０分間一定に保たれ、もう一つの画分（０．２４ｇ）が回収された。この画分はおよそ１００％のトコクロマノールを含む。
【００４１】
実施例４：トコトリエノールの濃縮画分の製造−２
実施例１から得られた２．４ｇの下部生成物が原材料として用いられ、１０ｇのシリカゲル、Ｚｅｏｆｒｅｅ５１７０と混合された。混合物は空の容器に導入され、超臨界ＣＯ２がＦＡＭＥおよびスクアレンを脱着するために１３ＭＰａおよび３３３Ｋで６０分間用いられた。圧力は１９ＭＰａに加圧され、更に１２０分後、１画分（１．５９ｇ）が回収された。この画分は８０重量％のトコクロマノールを含む。
【００４２】
実施例５：カロテノイド
およそ１０重量％のカロテノイドを含むカロテノイド濃縮物は、５０ｍｌの内部体積を有する高圧力パイプ中の吸着剤に通された。１６５ｍ２／ｇの最少表面積のシリカゲルが原材料に対して４：１（１２ｇ：３ｇ）の比で吸着剤として用いられた。次に、最初は１５０ｂａｒおよび６０℃の超臨界二酸化炭素で、次いで２５０ｂａｒおよび６０℃の超臨界二酸化炭素で抽出を行った。第三工程では、近臨界プロパンが７ＭＰａ、６０℃で用いられた。画分は回収された。最終画分は約６０％のカロテノイドからなる。
【図面の簡単な説明】
【００４３】
【図１】従来における混合されたカロテノイドおよびトコトリエノールの濃縮画分を製造する方法を示す工程図である。
【図２】本発明のＳＦＥ技術によるトコクロマノールおよびカロテノイドの濃縮方法を示す工程図である。
【符号の説明】
【００４４】
C1    カラム
C2    カラム
A1    吸着剤
A2    吸着剤
A3    吸着剤
【図１】
2009530426.tif 000003
【図２】
2009530426.tif 000004
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
パーム油またはパーム油派生物から天然化合物を高度富化した画分を製造する方法であって、
上部の揮発性がより高く超臨界流体または近臨界流体により可溶性である揮発性物質を取り除き、前記天然化合物を富化した下部画分をもたらす超臨界流体および近臨界流体の少なくともいずれかによる向流多段階分離と、上部の前記標的天然化合物を取り除き、さらには低揮発性不純物から標的天然化合物を洗浄する超臨界流体および近臨界流体の少なくともいずれかによるもう一つの向流多段階分離とを含む第１分離工程と、
吸着剤にて超臨界流体および近臨界流体の少なくともいずれかを含む前記向流分離からの前記画分を直接的に吸着する工程とその後に同一または別の超臨界流体および近臨界流体の少なくともいずれかにて前記吸着剤から前記混合物を溶出する工程とによる選択的吸着および脱着、ならびに様々な画分回収を含む第２工程とを備える
ことを特徴とするパーム油またはパーム油派生物から天然化合物の高度富化した画分を製造する方法。
【請求項２】
超臨界二酸化炭素および近臨界プロパンの少なくともいずれかを、３１３〜３８３Ｋの温度、５〜４５ＭＰａの圧力、溶媒対原材料比が１〜５００の範囲の操作条件で用い、カラム上部の抽出物の還流比を０．１〜５０の範囲として用いる
ことを特徴とする請求項１記載のパーム油またはパーム油派生物から天然化合物の高度富化した画分を製造する方法。
【請求項３】
第２工程は、同一の圧力および温度でまたは減少した密度で、吸着剤に、超臨界流体および近臨界流体である二酸化炭素およびプロパンの少なくともいずれかを含む向流分離からの画分を、４から１０の割合で、吸着剤の一部のみが流入する原材料で充填されるように、直接的に吸着することによる選択的吸着および脱着を含み、
少なくとも一つの工程にて、同一または別の超臨界流体および近臨界流体の少なくともいずれかで溶出または抽出による脱着が行われ、
第１脱着工程では吸着された混合物中にまだ残っている揮発性がより高い天然化合物が１２〜１５ＭＰａの低い圧力で除去され、
第２脱着工程では揮発性がより低い天然化合物が２２〜３５ＭＰａの圧力でありかつ３１３〜３７３Ｋの温度で抽出され、
第３脱着工程では３〜１０ＭＰａの条件での近臨界プロパンの使用を含む
ことを特徴とする請求項１記載のパーム油またはパーム油派生物から天然化合物の高度富化した画分を製造する方法。
【請求項４】
製造する天然化合物は、トコクロマノール画分、カロテノイド画分、ステロール画分およびコエンザイムＱ１０の少なくともいずれかである
ことを特徴とする請求項１ないし３いずれか記載のパーム油またはパーム油派生物から天然化合物の高度富化した画分を製造する方法。
【手続補正２】
【補正対象書類名】明細書
【補正対象項目名】全文
【補正方法】変更
【補正の内容】
【発明の詳細な説明】
【技術分野】
【０００１】
本発明は、超臨界流体および近臨界流体の少なくともいずれか一方を用いて、パーム油またはパーム油派生物から天然化合物の高度富化した画分を製造する方法に関する。
【背景技術】
【０００２】
パーム油からは、例えばトコクロマノール、カロテノイド、植物ステロール等のような有価化合物を得ることができる。高濃度画分への富化は、関連する膨大な数の成分、非常に低い揮発性、多数の化合物の有機溶媒への非常に低い溶解性、および処理される混合物の非常に高い粘性によって妨げられる。
【０００３】
前濃縮された画分の製造例としては、Ｃａｒｏｔｅｃｈ製法が利用される場合がある（図１参照）。Ｃａｒｏｍｉｎ（登録商標）は、約１０％のカロテノイドを含む富化カロテノイドで、粗製パーム油の派生物である。カロテノイドおよびトコトリエノール（ビタミンＥ）を抽出するための統合的方法は、特許文献１の米国特許第５，１５７，１４２号明細書に従って行われ、図１に要約されている。その方法は、粗製パーム油（ＣＰＯ）のメチルエステル（ＦＡＭＥ：脂肪酸メチルエステル）へのエステル交換を伴い、その後に真空蒸着およびその他の工程が続き、カロテン富化層、トコトリエノール富化層が生じる。カロテン富化層およびトコトリエノール富化層は、カロテノイドの最大含有量３０％、および主にトコトリエノールであるトコクロマノールの最大含有量約５０％の高度濃縮製品を製造するために更に濃縮され富化される。従来法による更なる富化は、高粘性、非常に低い揮発性および従来の有機溶媒へに低溶解性のために不可能であることが判明した。主に、トコフェロールである超臨界流体との様々な混合物について数多くの研究が行われてきたにも関らず、粗製パーム油またはその他の天然源からトコクロマノールおよびカロテノイドの両方の高濃度富化画分を製造できる方法はなかった。
【０００４】
図１は、混合されたカロテノイドおよびトコトリエノールの濃縮画分を製造する方法を示す（例えば、特許文献１参照。）。
【０００５】
パーム油に特徴的な橙赤色を与えるカロテンは、トコフェロールと共に油の安定性と栄養的価値とに寄与する。これらの構成物質およびその他の微量構成物質は、パーム油の品質特性に大きく影響する。カロテノイドは多くの場合、天然の脂肪または油、特にパーム油から取り出される。カロテノイドは、けん化されていない蒸留残渣から抽出できる。また、処理過程のいくつかの段階で吸着剤を用いて抽出できる。なお、抽出中には大量の有機溶媒を要する。これまでのところ、吸着プロセスは、天然源からさらに高度な濃縮カロテン画分をもたらしたことはない。その理由は、初期濃度の低さ、カロテン画分の粘性の高さおよび大部分の吸着剤におけるカロテンの不安定性である。より高度に濃縮されたカロテン画分を製造する方法を設計しようとする試みが数多く行われてきた。
【０００６】
カロテノイドは、生物において最も広範囲に及ぶ重要色素である。最も広く知られたカロテンは、α−，β−，γ−カロテンおよびリコピンである。また、カロテノイドは酸素ラジカルを不活性化できることから、抗癌特性を有することもわかっている。さらに、カロテンはビタミンＡ特性を有する天然化合物であることから、医薬品および栄養製品のための商業的な応用に積極的な役割を果たしてきた（例えば、非特許文献１および非特許文献２参照。）。
【０００７】
カロテノイドは、落花生、菜種油、ひまわり種子油、綿実油などを含む多くの植物油中にみられる。これらの油中のカロテノイド濃度は一般的に低く、１００ｐｐｍ未満である。その中で、パーム油は、レチノール当量に関してカロテンが最も豊富な天然植物源であり、マレーシアが世界のパーム油生産の最大の割合を占めている。パーム油は、既知の植物油の中で最も高濃度のカロテノイドを含み、油が得られるヤシ果実の種類によって５００〜３０００ｐｐｍの範囲に及ぶ（例えば、非特許文献１および非特許文献２参照。）。なお、マレーシア産粗製パーム油中のカロテン濃度は５００〜７００ｐｐｍの間で異なり、α−カロテンおよびβ−カロテンの形で総カロテンの最大９０％までとなっている（例えば、非特許文献３参照。）。
【０００８】
最近の市場に見られるカロテンは、化学合成のβ−カロテンまたは藻類のＤｕｎａｌｉｅｌｌａ（ドナリエラ）から抽出されたカロテンである。カロテノイドは、重要性と価値が増大する可能性が最も高く、パーム油からのカロテノイドの取り出しと、その副産物とが重要になる。そして、けん化、尿素処理、選択溶媒抽出、分子蒸留、吸着分離、結晶化、エステル交換およびこれらの処理に続くエステル蒸留など、カロテンをパーム油から取り出すための様々な抽出方法が長年にわたって開発されている（例えば、非特許文献１、非特許文献４および非特許文献５参照。）。
【０００９】
［トコクロマノール］
ビタミンは、人の健康にとって重要な物質である。ビタミンは様々な体内のプロセスを調節しており、多くの生命機能に対して好ましい作用を有する。一般論として、ビタミンは補酵素またはプロホルモンとして作用するものの、抗発癌物質または抗酸化作用のようなその他の機能の多くはまだ研究されていない。ビタミンの大部分は人体で合成することができないので、食物とともに摂取しなければならない。ビタミンは、構造および機能が様々であることから、最初の取り組みは、ビタミン類を水溶性群と脂肪性群とに分類することである。水溶性ビタミンは全身に分布し、ほとんど全ての器官に作用するが、一方で、脂肪性ビタミンは主に膜中に存在する。これらビタミンの血流中の輸送および消化は、十分な量の油脂質およびミセルが存在している場合にのみ行われる。
【００１０】
ビタミンＥは、ビタミンＥ活性を有するトコクロマノール群に由来する８つの物質の総称である。トコクロマノールは、更に二つのグループに細分することができる。即ち、トコフェロールおよびトコトリエノールに細分でき、トコトリエノールは、その炭化水素鎖に３つの不飽和二重結合を有し、トコフェロールは完全不飽和化された炭化水素鎖を有する。トコフェロールおよびトコトリエノールの両サブグループは、クロマン環の置換によってα−，β−，δ−およびγ−トコフェロール（トコトリエノール）と表される４つのホモグロで構成される。トコクロマノールは、臓器の細胞膜中に最も多く見られる脂肪性の抗酸化物質である。γ−トコフェロールは最も高い抗酸化活性を有し、そのため、食品業界および化粧業界で抗酸化剤としてほとんど使用される。それでもなお、最近の研究がその他のトコクロマノールホモグロの後発癌物質または抗腫瘍特性といった更なる機能を報告している。
【００１１】
結果として、全てのホモグロからなる天然のトコクロマノール混合物の需要が確実に増大しつつある。マレーシア産のパーム油は、世界最高のトコクロマノール含有量を有する。粗製パーム油（ＣＰＯ）は、９４重量％のトリグリセリド、３〜４重量％の遊離脂肪酸（ＦＦＡ）から成り、ＣＰＯのわずか１重量％は、トコクロマノール、カロテノイドおよび植物栄養素からなる。パーム油は、多量にまた比較的低価格で入手可能である。パーム油はトコトリエノールの最大の供給源である。トコトリエノールは粗製パーム油の精製および脱臭中に得られる蒸留画分から取り出すことができる。カロテノイドはこの過程で破壊される。したがって、一工程順序で有価化合物であるトコトリエノールおよびカロテノイドの両方を取り出そうと試みるのは合理的である。最も経済的な方法は、これらの有価化合物を粗製パーム油から適切な吸着剤に吸着し、次いで吸着剤からそれら有機化合物を回収することであろう。このようなアプローチは数多くの試みが行われてきたが、今のところ成功していない。よって、別のアプローチの必要性から、パーム油のトリグリセリドを脂肪酸メチルエステルにエステル交換し、真空蒸着により回収する方法が知られている。そして、更なる高度濃縮画分をもたらす方法は、前述の通り混合物特性によって制限されてしまう。
【００１２】
本発明である超臨界流体抽出（ＳＦＥ）は、有機溶媒による従来の抽出に代わるものである。ＳＦＥは、溶媒を含まない抽出物を提供することができ、その低い臨界温度によりトコクロマノールの一種であるビタミンのような温度感受性の処理に用いることができる。超臨界流体は、低揮発性成分を溶解することができ、また、これらの成分に対して気相を介した任意の処理を行うことができる。さらに、高粘性溶液は、特に二酸化炭素およびプロパンといった多量の超臨界流体を溶解することにより、粘性を大幅に低下する。その結果、高粘性溶液も処理中に取り扱うことができる。
【００１３】
これらの事実は、しばらくの間それぞれ知られていたにも関らず、向流ＳＦＥ分離およびそれに続く選択的ＳＦＥ脱着によるＳＦＥ吸着の適切な組み合わせによる、トコクロマノールおよびカロテノイドの更なる富化についての特段の効果は認識されていなかった。これまでに達成された最新技術を以下に示す。
【００１４】
［トコクロマノール］
近年、超臨界二酸化炭素による天然材用の抽出に関する研究が増えつつある。二酸化炭素の臨界パラメータは、７．４ＭＰａ、３０４．２１Ｋである（例えば、非特許文献６参照。）。これら低臨界パラメータのため、超臨界二酸化炭素を用いることにより、装置の運転に起因するコストを低コスト化でき、また、低臨界温度のため、超臨界二酸化炭素を用いることにより温度感受性材料であっても抽出できる。また、有機溶媒とは逆に、二酸化炭素は、無毒、不燃性および不活性である。さらに、二酸化炭素は、容易に入手可能であり、所望の産物から完全に取り除くことができ、残留物が発生しない。また、二酸化炭素の可溶性は密度で調節することができるので、供給材料によって調節して適用させることができる。これらが超臨界二酸化炭素抽出の分野における膨大な研究の理由である。例えば、イレス外（例えば、非特許文献７参照。）、およびグナイフィード外（例えば、非特許文献８参照。）は、トコフェロールおよびカロテン含量に関して、超臨界ＣＯ２および近臨界プロパンによる赤トウガラシおよびコショウ油の抽出を研究している。超臨界二酸化炭素の溶解性はカロテンを溶解するには不十分であることがわかった。両方の溶媒へのトコフェロールの溶解性は良好であり、ＣＯ２およびプロパン両方にトコフェロールを溶解することができた。また、ナジシャ外（例えば、非特許文献９参照。）およびシシクラ外（例えば、非特許文献１０参照。）は、大豆脱臭剤の蒸留液からの超臨界流体抽出によるトコフェロールの富化を研究している。さらに、オリーブオイル産物の中間物からのスクアレン富化（例えば、非特許文献１１参照。）および酢酸トコフェロールおよびトコフェロール富化、フレック外（例えば、非特許文献１２参照。）に関する更なる研究が行われている。
【００１５】
密度による超臨界二酸化炭素の溶解性の調節により、超臨界抽出に高い柔軟性がもたらされる。しかし、二酸化炭素は極性を欠くため、極性物質に対する溶解性は限られる。溶解性を上げる一つの可能性は、超臨界流体二酸化炭素に調節剤を添加することである。一般的な調節剤はイソプロパノール、エタノールおよびプロパンである。調節剤による溶解性の上昇が選択性の低下と対になることが多いという点は軽視すべきでない。そこで、最近の研究は、超臨界抽出前の付加吸着過程に焦点を当てている。吸着剤が異なる成分に対して異なる親和性を持つことから、付加吸着の結果、処理過程の選択性が増す可能性がある。その結果、成分の吸着および脱着が様々な程度で行われる。ワン外（例えば、非特許文献１３参照。）は、超臨界二酸化炭素を溶媒として圧力スイング吸着法を用い、α−トコフェロールおよびスクアレンの分離を研究した。処理過程の第一段階において、原材料は超臨界ＣＯ２と混合され、シリカゲル充填されたカラムに低圧力で入り、そこで原材料はシリカゲルに吸着する。第二段階で、吸着剤は高圧力下において純粋超臨界二酸化炭素でシリカゲルから脱着される。これらの実験の間に、ワン外はα−トコフェロールを２０重量％の原材料から６０重量％に富化することができ、スクアレンを８０重量％から９８重量％に富化することができた。超臨界二酸化炭素中の吸着と脱着に関する理論的研究はレヴァション外（例えば、非特許文献１４参照。）およびゴトウ外（例えば、非特許文献１５参照。）により行われてきた。レヴァションの研究グループは、複合テルペン混合物の超臨界条件下の吸着挙動を説明するためにラングミュアの類似多成分吸着等温線を用い、一方、ゴトウの研究グループはシミュレーションを行うためにＢＥＴ吸着等温線を用いた。両方の研究は、実験データを高精度でシミュレーション可能な数学的モデルを導き出した。
【００１６】
リー外（例えば、非特許文献１６参照。）は、再生粘土上の処理済み大豆油に由来するリン脂質の吸着動態に関する研究を発表した。リーの研究グループは吸着処理について説明するため、吸着前後の濃度を測定することによって反応の運動論的方程式を用いた。システムを説明するために吸着等温線が全く使われていないことから、これは前述の著者等とは全く異なる方法だった。それにも関わらず、リーの研究グループは実験データを予測することが出来る反応方程式を導き出すことができた。超臨界二酸化炭素による改質粘土再生は、カバルカンテ外（例えば、非特許文献１７参照。）およびカルネイロ外（例えば、非特許文献１８参照。）によって研究された。有機物質を吸着する能力が水処理分野においては非常に重要であることから、改質粘土は環境技術において重要な吸着剤である。従って、粘土再生は処理の経済効率において重要な経済的問題である。ツェッツル（例えば、非特許文献１９参照。）は、シリカゲルへの選択的吸着とそれに続く超臨界二酸化炭素下での脱着を応用することによってレモン油からの香気の分離に取り組んだ。リモネンおよびシトラールの脱着曲線が研究され、高精度で実験データを表現するモデルが導入された。
【００１７】
選択的吸着とそれに続く超臨界ＣＯ２による脱着の分離技術の特許は、植物性揮発油からのテルペン分離について出願されている。欧州特許出願公開第０３６３９７１（Ａ２）号明細書には、このような処理について記載されている。植物性揮発油は一定温度で撹拌することによって、吸着剤と混合され、次に超臨界ＣＯ２で抽出される。処理される油が低粘性であるためにこれが可能である（例えば、特許文献２参照。）。
【００１８】
［カロテノイド］
特開２００２−２２６７２３号公報は、パーム油からのカロテン富化方法を示している。パーム油は、最初にエステル交換される。次いで、このエステルを濃縮エステル層に分離するために、メタノールなどの親水性の溶媒で抽出する。次いで、この濃縮物は、カロテンを吸着するためにシリカゲルを充填したカラムに供される。次いで、カロテンは、約４０００ｐｐｍのアセトンを含むヘキサンを用いて脱着される（例えば、特許文献３参照。）。
【００１９】
富カロテン濃縮物の吸着濃縮も、米国特許第６０７２０９２号明細書に用いられており、シリカゲルが吸着剤として使用され、多量の非極性溶媒がカロテンを回収するために用いられる（例えば、特許文献４参照。）。
【００２０】
欧州特許第０２４２１４８号明細書には、シリカゲルまたは活性アルミナを吸着剤として、ならびに所定量の極性溶媒を含む非極性溶媒をカロテン富化のための溶離剤として用いる同様の方法が記載されている（例えば、特許文献５参照。）。
【００２１】
特開昭６３−１３２８７１号公報には、ゼオライトを吸着剤として利用し、例えば四塩化炭素等の非極性溶媒を溶離剤として利用するカロテン富化方法が記載されている（例えば、特許文献６参照。）。
【００２２】
米国特許第５１５７１３２号明細書は、エステル交換およびけん化を通じて油からカロテンを回収する方法が記載されている。富化カロテンは、けん化された残留物から有機溶媒で抽出することもできる。得られた残留物は２０％のカロテン含量を有する（例えば、特許文献７参照。）。また、欧州特許第１３９８３１１号明細書にも同様の方法が記載されている。１０％〜２０％のカロテン濃度を得ることができる（例えば、特許文献８参照。）。
【００２３】
独国特許第４４２９５０６号明細書は、乾燥材料からのプロパンまたはブタンによるカロテノイド抽出を示している。両気体の溶解性は、共溶媒が用いられる場合に大いに改善され得ることが分かった（例えば、特許文献９参照。）。
【特許文献１】米国特許第５，１５７，１４２号明細書
【特許文献２】欧州特許出願公開第０３６３９７１（Ａ２）号明細書
【特許文献３】特開２００２−２２６７２３号公報
【特許文献４】米国特許第６０７２０９２号明細書
【特許文献５】欧州特許第０２４２１４８号明細書
【特許文献６】特開昭６３−１３２８７１号公報
【特許文献７】米国特許第５１５７１３２号明細書
【特許文献８】欧州特許第１３９８３１１号明細書
【特許文献９】独国特許第４４２９５０６号明細書
【非特許文献１】Ｙ．Ｍ．チュー（Ｙ．Ｍ．Ｃｈｏｏ）著，「パーム油カロテノイド（Ｐａｌｍ  Ｏｉｌ  Ｃａｒｏｔｅｎｏｉｄｓ）」，国連大学出版（Ｔｈｅ  Ｕｎｉｔｅｄ  Ｎａｔｉｏｎｓ  Ｕｎｉｖｅｒｓｉｔｙ  Ｐｒｅｓｓ），食物と栄養紀要（Ｆｏｏｄ  ａｎｄ  Ｎｕｔｒｉｔｉｏｎ  Ｂｕｌｌｅｔｉｎ），１９９４年，ｐ１５
【非特許文献２】Ｃ．レンファント（Ｃ．Ｌｅｎｆａｎｔ）、Ｆ．Ｃ．ティリオン（Ｆ．Ｃ．Ｔｈｙｒｉｏｎ）著，「パーム油からのカロテノイド抽出  Ｉ（Ｅｘｔｒａｃｔｉｏｎ  ｏｆ  Ｃａｒｏｔｅｎｏｉｄｓ  Ｆｒｏｍ  Ｐａｌｍ  Ｏｉｌ  Ｉ）」、β−カロテンの物理的および化学的特性（Ｐｈｙｓｉｃａｌ  ａｎｄ  Ｃｈｅｍｉｃａｌ  Ｐｒｏｐｅｒｔｉｅｓ  ｏｆ  β−Ｃａｒｏｔｅｎｅ），Ｖｏｉｒ  ＯＣＬ  ３、３，１９９６年，ｐ２２０〜２２６
【非特許文献３】Ｓ．Ｈ．ゴー（Ｓ．Ｈ．Ｇｏｈ）、Ｙ．Ｍ．チュー（Ｙ．Ｍ．Ｃｈｏｏ）、Ｓ．Ｈ．オング（Ｓ．Ｈ．Ｏｎｇ）著，「パーム油の微量構成物質（Ｍｉｎｏｒ  Ｃｏｎｓｔｉｔｕｅｎｔｓ  ｏｆ  Ｐａｌｍ  Ｏｉｌ）」，米国オイル化学学会誌６２（Ｊ．Ａｍ．Ｏｉｌ  Ｃｈｅｍ．Ｓｏｃ．６２），１９８５年，ｐ２３７〜２４０
【非特許文献４】Ｂ．Ｓ．バハリン（Ｂ．Ｓ．Ｂａｈａｒｉｎ）、Ｌ．Ｌ．ユー（Ｌ．Ｌ．Ｙｏｕ）、Ｙ．Ｂ．チェ・マン（Ｙ．Ｂ．Ｃｈｅ  Ｍａｎ）、Ｓ．タカギ（Ｓ．Ｔａｋａｇｉ）著，「粗製およびゴムを除去されたパーム油からのカロテンのクロマトグラフィー分離に対する脱ガム処理の効果（Ｅｆｆｅｃｔ  ｏｆ  Ｄｅｇｕｍｍｉｎｇ  Ｐｒｏｃｅｓｓ  ｏｎ  Ｃｈｒｏｍａｔｏｇｒａｐｈｉｃ  Ｓｅｐａｒａｔｉｏｎ  ｏｆ  Ｃａｒｏｔｅｎｅｓ  ｆｒｏｍ  Ｃｒｕｄｅ  ａｎｄ  Ｄｅｇｕｍｍｅｄ  Ｐａｌｍ  Ｏｉｌ）」，食物脂質誌８（Ｊｏｕｒｎａｌ  ｏｆ  Ｆｏｏｄ  Ｌｉｐｉｄｓ  ８），２００１年，ｐ２７〜３５
【非特許文献５】Ｃ．レンファント（Ｃ．Ｌｅｎｆａｎｔ）、Ｆ．Ｃ．ティリオン（Ｆ．Ｃ．Ｔｈｙｒｉｏｎ）著，「パーム油からのカロテノイド抽出ＩＩ（Ｅｘｔｒａｃｔｉｏｎ  ｏｆ  Ｃａｒｏｔｅｎｏｉｄｓ  Ｆｒｏｍ  Ｐａｌｍ  Ｏｉｌ，ＩＩ）、単離方法（Ｉｓｏｌａｔｉｏｎ  Ｍｅｔｈｏｄｓ）」，Ｖｏｉｒ  ＯＣＬ  ３、４，１９９６年，ｐ２９４〜３０７
【非特許文献６】ＶＤＩ著，「ＶＤＩ熱アトラス（Ｗａｒｍｅａｔｌａｓ）」，ＶＤＩ出版有限責任会社（ＶＤＩ  Ｖｅｒｌａｇ  ＧｍｂＨ），１９８８年
【非特許文献７】Ｖ．Ｉｌｌ´ｅｓ、Ｈ．Ｇ．Ｄａｏｏｄ、Ｐ．Ａ．Ｂｉａｃｓ、Ｍ．Ｈ．Ｇｎａｙｆｅｅｄ、Ｂ．Ｍ´ｅｓｚ´ａｒｏｓ著，「カロテノイドおよびトコフェロール含量に関するスパイス赤トウガラシ油の超臨界ＣＯ２および超臨界プロパン抽出（Ｓｕｐｅｒｃｒｉｔｉｃａｌ  ＣＯ２  ａｎｄ  Ｓｕｂｃｒｉｔｉｃａｌ  Ｐｒｏｐａｎｅ  Ｅｘｔｒａｃｔｉｏｎ  ｏｆ  Ｓｐｉｃｅ  Ｒｅｄ  Ｐｅｐｐｅｒ  Ｏｉｌ  ｗｉｔｈ  Ｓｐｅｃｉａｌ  Ｒｅｇａｒｄ  ｔｏ  Ｃａｒｏｔｅｎｏｉｄ  ａｎｄ  Ｔｏｃｏｐｈｅｒｏｌ  Ｃｏｎｔｅｎｔ）」，クロマトグラフ科学誌第３７巻（Ｊｏｕｒｎａｌ  ｏｆ  Ｃｈｒｏｍａｔｏｇｒａｐｈｉｃ  Ｓｃｉｅｎｃｅ，ｖｏｌ．３７），１９９９年
【非特許文献８】Ｍ．Ｈ．Ｇｎａｙｆｅｅｄ、Ｈ．Ｇ．Ｄａｏｏｄ、Ｖ．Ｉｌｌ´ｅｓ、Ｐ．Ａ．Ｂｉａｃｓ著，「刺激性パプリカの超臨界ＣＯ２および近臨界プロパン抽出ならびにカロテノイド、トコフェロール、およびカプサイシノイドの定量化（Ｓｕｐｅｒｃｒｉｔｉｃａｌ  ＣＯ２  ａｎｄ  Ｓｕｂｃｒｉｔｉｃａｌ  Ｐｒｏｐａｎｅ  Ｅｘｔｒａｃｔｉｏｎ  ｏｆ  Ｐｕｎｇｅｎｔ  Ｐａｐｒｉｋａ  ａｎｄ  Ｑｕａｎｔｉｆｉｃａｔｉｏｎ  ｏｆ  Ｃａｒｏｔｅｎｏｉｄｓ，Ｔｏｃｏｐｈｅｒｏｌｓ  ａｎｄ  Ｃａｐｓａｉｃｉｎｏｉｄｓ）」，農業食品化学誌４９（Ａｇｒｉｃ．Ｆｏｏｄ  Ｃｈｅｍ．４９），２００１年，ｐ２７６１〜２７６６
【非特許文献９】Ｇ．Ｋ．ナジシャ（Ｇ．Ｋ．Ｎａｇｅｓｈａ）、Ｂ．マノハー（Ｂ．Ｍａｎｏｈａｒ）、Ｋ．ウダヤ・サンカー（Ｋ．Ｕｄａｙａ  Ｓａｎｋａｒ）著，「超臨界二酸化炭素抽出を用いる改質大豆脱臭剤蒸留物中のトコフェロールの富化（Ｅｎｒｉｃｈｍｅｎｔ  ｏｆ  ｔｏｃｏｐｈｅｒｏｌｓ  ｉｎ  ｍｏｄｉｆｉｅｄ  ｓｏｙ  ｄｅ−ｏｄｏｒｉｚｅｒ  ｄｉｓｔｉｌｌａｔｅ  ｕｓｉｎｇ  ｓｕｐｅｒｃｒｉｔｉｃａｌ  ｃａｒｂｏｎ  ｄｉｏｘｉｄｅ  ｅｘｔｒａｃｔｉｏｎ）」，欧州食物研究技術２１７（Ｅｕｒ．Ｆｏｏｄ  Ｒｅｓ．Ｔｅｃｈｎｏｌ．２１７），２００３年，ｐ４２７〜４３３
【非特許文献１０】Ａ．シシクラ（Ａ．Ｓｈｉｓｈｉｋｕｒａ）、Ｋ．フジモト（Ｋ．Ｆｕｊｉｍｏｔｏ）、Ｔ．カネダ（Ｔ．Ｋａｎｅｄａ）、Ｋ．アライ（Ｋ．Ａｒａｉ）、Ｓ．サイトウ（Ｓ．Ｓａｉｔｏ）著，「超臨界流体抽出による大豆スラッジからのトコフェロールの濃縮（Ｃｏｎｃｅｎｔｒａｔｉｏｎ  ｏｆ  Ｔｏｃｏｐｈｅｒｏｌｓ  ｆｒｏｍ  Ｓｏｙｂｅａｎ  Ｓｌｕｄｇｅ  ｂｙ  Ｓｕｐｅｒｃｒｉｔｉｃａｌ  Ｆｌｕｉｄ  Ｅｘｔｒａｃｔｉｏｎ）」，日本油化学誌３７第１号（Ｊｐｎ．Ｏｉｌ  Ｃｈｅｍ．Ｓｏｃ．３７，Ｎｏ．１），１９８８年
【非特許文献１１】Ｍ．ドレッシュナー（Ｍ．Ｄｒｅｓｃｈｎｅｒ）、Ｍ．ボナクダー（Ｍ．Ｂｏｎａｋｄａｒ）著，「Ａｎｒｅｉｃｈｅｒｕｎｇ  ｄｅｓ  Ｋｏｈｌｅｎｗａｓｓｅｒｓｔｏｆｆｅｓ  Ｓｑｕａｌｅｎ  ｉｎ  ｅｉｎｅｍ  Ｚｗｉｓｃｈｅｎｐｒｏｄｕｋｔ  ｄｅｒ  Ｏｌｉｖｅｎｏｌｈｅｒｓｔｅｌｌｕｎｇ  ｄｕｒｃｈ  Ｅｘｔｒａｋｔｉｏｎ  ｍｉｔ  ｖｅｒｄｉｃｈｔｅｔｅｍ  Ｋｏｈｌｅｎｄｉｏｘｉｄ」，化学工学技術７３（Ｃｈｅｍｉｅ  Ｉｎｇｅｎｉｅｕｒ  Ｔｅｃｈｎｉｋ  ７３），２００１年，ｐ３３８〜３４２
【非特許文献１２】Ｕ．フレック（Ｕ．Ｆｌｅｃｋ）著，「Ｒｅｉｎｉｇｕｎｇ  ｓｃｈｗｅｒ  ｆｌｕｃｈｔｉｇｅｒ  Ｓｕｂｓｔａｎｚｅｎ  ｍｉｔｔｅｌｓ  Ｅｘｔｒａｋｔｉｏｎ  ｍｉｔ  ｕｂｅｒｋｒｉｔｉｓｃｈｅｎ  Ｇａｓｅｎ」，ハンブルク−ハールブルク工科大学学位論文（Ｄｉｓｓｅｒｔａｔｉｏｎ，Ｔｅｃｈｎｉｓｃｈｅ  Ｕｎｉｖｅｒｓｉｔａｔ  Ｈａｍｂｕｒｇ−Ｈａｒｂｕｒｇ），２０００年
【非特許文献１３】Ｈ．ワン（Ｈ．Ｗａｎｇ）、Ｍ．ゴトウ（Ｍ．Ｇｏｔｏ）、Ｍ．ササキ（Ｍ．Ｓａｓａｋｉ）、Ｔ．ヒロセ（Ｔ．Ｈｉｒｏｓｅ）著，「超臨界二酸化炭素中の圧力スイング吸着法によるα−トコフェロールおよびスクアレンの分離（Ｓｅｐａｒａｔｉｏｎ  ｏｆ  α−Ｔｏｃｏｐｈｅｒｏｌ  ａｎｄ  Ｓｑｕａｌｅｎｅ  ｂｙ  Ｐｒｅｓｓｕｒｅ  Ｓｗｉｎｇ  Ａｄｓｏｒｐｔｉｏｎ  ｉｎ  Ｓｕｐｅｒｃｒｉｔｉｃａｌ  Ｃａｒｂｏｎ  Ｄｉｏｘｉｄｅ）」，産業工業化学研究４３（Ｉｎｄ．Ｅｎｇ．Ｃｈｅｍ．Ｒｅｓ．４３），２００４年，ｐ２７５３〜２７５８
【非特許文献１４】Ｅ．Ｒｅｖｅｒｃｈｏｎ、Ｇ．Ｌａｍｂｅｒｔｉ、Ｐ．Ｓｕｂｒａ著，「複合テルペン混合物の超臨界吸着のモデル化およびシミュレーション（Ｍｏｄｅｌｌｉｎｇ  ａｎｄ  ｓｉｍｕｌａｔｉｏｎ  ｏｆ  ｔｈｅ  ｓｕｐｅｒｃｒｉｔｉｃａｌ  ａｄｓｏｒｐｔｉｏｎ  ｏｆ  ｃｏｍｐｌｅｘ  ｔｅｒｐｅｎｅ  ｍｉｘｔｕｒｅｓ）」，化学工業科学５３（Ｃｈｅｍｉｃａｌ  Ｅｎｇｉｎｅｅｒｉｎｇ  Ｓｃｉｅｎｃｅ  ５３），１９９８年，ｐ３５３７〜３５４４
【非特許文献１５】Ｍ．ゴトウ（Ｍ．Ｇｏｔｏ）、Ｂ．Ｃ．ロイ（Ｂ．Ｃ．Ｒｏｙ）、Ａ．コダマ（Ａ．Ｋｏｄａｍａ）、Ｔ．ヒロセ（Ｔ．Ｈｉｒｏｓｅ）著，「溶質−固体相互作用を伴うモデル化超臨界流体抽出過程（Ｍｏｄｅｌｌｉｎｇ  Ｓｕｐｅｒｃｒｉｔｉｃａｌ  Ｆｌｕｉｄ  Ｅｘｔｒａｃｔｉｏｎ  Ｐｒｏｃｅｓｓ  Ｉｎｖｏｌｖｉｎｇ  Ｓｏｌｕｔｅ−Ｓｏｌｉｄ  Ｉｎｔｅｒａｃｔｉｏｎ）」，日本化学工学誌３１（Ｊｏｕｒｎａｌ  ｏｆ  Ｃｈｅｍｉｃａｌ  Ｅｎｇｉｎｅｅｒｉｎｇ  ｏｆ  Ｊａｐａｎ  ３１），１９９８年，ｐ１７１〜１７７
【非特許文献１６】Ｃ．Ｈ．リー（Ｃ．Ｈ．Ｌｅｅ）、Ｃ．Ｉ．リン（Ｃ．Ｉ．Ｌｉｎ）著，「水和およびアルカリ精製された大豆油からの再生粘土を用いるリン脂質の吸着動態（Ｋｉｎｅｔｉｃｓ  ｏｆ  Ａｄｓｏｒｐｔｉｏｎ  ｏｆ  Ｐｈｏｓｐｈｏｌｉｐｉｄｓ  ｆｒｏｍ  Ｈｙｄｒａｔｅｄ  ａｎｄ  Ａｌｋａｌｉ−Ｒｅｆｉｎｅｄ  Ｓｏｙ  Ｏｉｌ  Ｕｓｉｎｇ  Ｒｅｇｅｎｅｒａｔｅｄ  Ｃｌａｙ）」，日本化学工学誌３７（Ｊｏｕｒｎａｌ  ｏｆ  Ｃｈｅｍｉｃａｌ  Ｅｎｇｉｎｅｅｒｉｎｇ  ｏｆ  Ｊａｐａｎ  ３７），２００４年，ｐ７６４〜７７１
【非特許文献１７】Ａ．Ｍ．カバルカンテ（Ａ．Ｍ．Ｃａｖａｌｃａｎｔｅ）、Ｌ．Ｇ．トレス（Ｌ．Ｇ．Ｔｏｒｒｅｓ）、Ｇ．Ｌ．Ｖ．コエーリョ（Ｇ．Ｌ．Ｖ．Ｃｏｅｌｈｏ）著，「改質粘土への酢酸エチルの吸着および超臨界ＣＯ２によるその再生（Ａｄｓｏｒｐｔｉｏｎ  ｏｆ  Ｅｔｈｙｌ  Ａｃｅｔａｔｅ  ｏｎｔｏ  Ｍｏｄｉｆｉｅｄ  Ｃｌａｙｓ  ａｎｄ  ｉｔｓ  Ｒｅｇｅｎｅｒａｔｉｏｎ  ｗｉｔｈ  Ｓｕｐｅｒｃｒｉｔｉｃａｌ  ＣＯ２）」，ブラジル化学工学誌第２２巻第１号（Ｂｒａｚｉｌｉａｎ  Ｊｏｕｒｎａｌ  ｏｆ  Ｃｈｅｍｉｃａｌ  Ｅｎｇｉｎｅｅｒｉｎｇ，Ｖoｌ．２２Ｎｏ．１），２００５年，ｐ７５〜８２
【非特許文献１８】Ｄ．Ｇ．Ｐ．カルネイロ（Ｄ．Ｇ．Ｐ．Ｃａｒｎｅｉｒｏ）、Ｍ．Ｆ．メンデス（Ｍ．Ｆ．Ｍｅｎｄｅｓ）、Ｇ．Ｌ．Ｖ．コエーリョ（Ｇ．Ｌ．Ｖ．Ｃｏｅｌｈｏ）著，「超臨界二酸化炭素を用いた改質粘土からのトルエンの脱着（Ｄｅｓｏｒｐｔｉｏｎ  ｏｆ  Ｔｏｌｕｅｎｅ  ｆｒｏｍ  Ｍｏｄｉｆｉｅｄ  Ｃｌａｙｓ  ｕｓｉｎｇ  Ｓｕｐｅｒｃｒｉｔｉｃａｌ  Ｃａｒｂｏｎ  Ｄｉｏｘｉｄｅ）」，ブラジル化学工学誌  第２１巻第４号（Ｂｒａｚｉｌｉａｎ  Ｊｏｕｒｎａｌ  ｏｆ  Ｃｈｅｍｉｃａｌ  Ｅｎｇｉｎｅｅｒｉｎｇ  Ｖｏｌ．２１，Ｎｏ．４），２００４年，ｐ６４１〜６４６
【非特許文献１９】Ｃ．ツェッツル（Ｃ．Ｚｅｔｚｌ）著，「ｅｓｏｒｐｔｉｏｎ  ｖｏｎ  Ｓａｕｅｒｓｔｏｆｆｖｅｒｂｉｎｄｕｎｇｅｎ  ｄｅｓ  Ｚｉｔｒｕｓｏｌｓ  ｄｕｒｃｈ  ｕｂｅｒｋｒｉｔｉｓｃｈｅｓ  ＣＯ２」、カールスルーエ大学、熱プロセス工学研究所、卒業研究（Ｄｉｐｌｏｍａｒｂｅｉｔ，Ｉｎｓｔｉｔｕｔ  ｆｕｒ  Ｔｈｅｒｍｉｓｃｈｅ  Ｖｅｒｆａｈｒｅｎｓｔｅｃｈｎｉｋ  ａｎ  ｄｅｒ  Ｕｎｉｖｅｒｓｉｔａｔ  Ｋａｒｌｓｒｕｈｅ），１９９４年
【発明の開示】
【発明が解決しようとする課題】
【００２４】
上記の技術は、カロテノイド濃縮物を得るために溶離剤として多量の有機溶媒および蒸留による溶媒回収が必要であり、パーム油またはパーム油派生物から天然化合物の高度富化した画分を容易に製造できない。
【００２５】
本発明はこのような点に鑑みなされたもので、天然化合物の高度富化した画分を容易に製造できる方法を提供することを目的とする。
【課題を解決するための手段】
【００２６】
本発明は、パーム油またはパーム油派生物から天然化合物を高度富化した画分を製造する方法であって、上部の揮発性がより高く超臨界流体または近臨界流体により可溶性である揮発性物質を取り除き、前記天然化合物を富化した下部画分をもたらす超臨界流体および近臨界流体の少なくともいずれかによる向流多段階分離と、上部の前記標的天然化合物を取り除き、さらには低揮発性不純物から標的天然化合物を洗浄する超臨界流体および近臨界流体の少なくともいずれかによるもう一つの向流多段階分離とを含む第１分離工程と、吸着剤にて超臨界流体および近臨界流体の少なくともいずれかを含む前記向流分離からの前記画分を直接的に吸着する工程とその後に同一または別の超臨界流体および近臨界流体の少なくともいずれかにて前記吸着剤から前記混合物を溶出する工程とによる選択的吸着および脱着、ならびに様々な画分回収を含む第２工程とを備えるものである。
【発明の効果】
【００２７】
本発明によれば、濃縮物を得るために超臨界流体および近臨界流体の少なくともいずれかが溶媒として低温で用いられる。これら溶媒は、膨張によって容易に取り除くことができるので、天然化合物の高度富化した画分を容易に製造できる。
【００２８】
なお、食用油からの植物ステロールの富化およびトコクロマノールの富化に超臨界二酸化炭素およびその他の圧縮ガスを用いる上記文献中のほとんどの技術は、非常に低い濃度の成分から開始する。したがって、トリグリセリドやＦＡＭＥが油またはエステル化油それぞれを処理する場合に圧倒的に優れた物質であるため、上記文献中の研究の主な焦点は、トリグリセリドまたはＦＡＭＥのような物質から油を激減させることにある。さらに、一番多く述べられている方法は、バッチ式で行われる方法である。したがって、既に富化されたパーム油派生物から開始して、吸着や脱着操作により連続運転の抽出カラムの組み合わせおよびそれに続く抽出を使用する本発明で述べられた方法はまだ応用されていない。
【発明を実施するための最良の形態】
【００２９】
トコクロマノール群のビタミン化合物およびカロテノイドは、以下に述べられる方法で天然油から生じる混合物が富化される。これらの混合物は、脂肪酸メチルエステルまたは脂肪酸エチルエステル、スクアレン、モノグリセリド、ジグリセリド、ステロールおよび標的化合物を含む。
【００３０】
超臨界二酸化炭素を溶媒として用いて、第１分離工程において（図２、カラムＣ１およびＣ２）、向流操作される分離カラム上部では、トコクロマノールまたはカロテノイドからこれら標的化合物よりも超臨界二酸化炭素に対して溶解性が高い化合物が除去され、分離カラム下部では、溶解性がより低い化合物が除去される。この方法は、トコクロマノールにてついては約７０重量％の濃度、カロテノイドについては約３０重量％の濃度をもたらす。この分離の詳細は下記の通りである。
【００３１】
第２工程では、以下の向流プロセスの直後に続いて、混合物は、選択的な吸着および脱着の工程によって処理される（図２、吸着剤Ａ１、Ａ２、Ａ３）。吸着は、超臨界流体または近臨界流体および標的化合物を含む向流分離カラムから引き出されたマスフローから行われ、吸着剤に直接投入される。このように、高粘性溶液または固溶体の取り扱いが可能になる。次いで、原材料混合物を充填した固定床から脱着が行われる。脱着は、同じ超臨界流体または近臨界流体、もしくは異なる流体または連続した二つまたは複数の前記溶媒で行ってもよい。脱着は、吸着と比べて異なる条件、即ち異なる値のガスの圧力、温度、流速でも行われる。超臨界溶媒または近臨界流体は、超臨界流体または近臨界流体の混合物、好ましくは二酸化炭素およびプロパンの混合物を含んでもよい。
【００３２】
吸着および脱着による分離は、吸着剤全体を原材料混合物で満たさずに吸着剤の一部のみを満たすことによって改善され得ることがわかった。脱着の間、一連の吸着および脱着工程が行われ、分離効率、ひいては分離画分の濃度が上昇する。吸着剤の固定床の遊離部分に対する第１吸着部分の割合は可変であり、通常、０．５〜０．１である。
【００３３】
図２は、ＳＦＥ技術によるトコクロマノールおよびカロテノイドの濃縮方法の工程図である。
【００３４】
［トコクロマノール］
パーム油由来混合物からのトコトリエノールを主に含む高度富化トコクロマノール画分製造のための新しい方法は、カラム上部のより軽い揮発性物質、（即ち、超臨界化合物（二酸化炭素）中にてより溶解性の高い化合物）を除去するために、超臨界流体、好ましくは二酸化炭素を用いる連続的な向流多段階分離を兼ね備える。カラム下部は、ステロールおよびその他のやや極性がある化合物を比較的高含量で含むトコトリエノール富化画分である。この下部画分は、適切な吸着剤に通される。シリカゲルが適用可能な吸着剤であることが分かった。吸着された混合物は、超臨界流体、好ましくは二酸化炭素によって、２工程の溶出または抽出による脱着工程により脱着される。第１脱着工程は、約１４０ｂａｒすなわち約１４ＭＰａの圧力にて行われ、揮発性がより高い化合物、または超臨界二酸化炭素により可溶な化合物を除去する。第２脱着工程は、約２５０ｂａｒすなわち約２５ＭＰａの圧力にて行われ、主にトコトリエノールを含む高度富化トコクロマノール画分が抽出される。抽出された画分は、別の容器に採取することによって更に分割することもできる。画分の分け方によって、トコトリエノール濃度は原材料混合物の約５０％の収率の、８５％から略１００％までの範囲に及ぶ。吸着剤はエタノールなどの液体溶剤によって再生され、吸着工程に再利用される。
【００３５】
いくつかの方法によって得ることができる前富化画分から開始する方法は、メタノールによるグリセリドのエステル交換、および短経路蒸着による、または二酸化炭素のような超臨界流体による抽出で得られた脂肪酸エステルの除去を含む場合がある。例えば、第１分離工程のための出発材料は、５６重量％のトコクロマノール（γ−トコトリエノール、α−トコトリエノールおよびα−トコフェロールを主要成分として含む。）、１６重量％のスクアレン、５重量％の植物ステロール（β−シトステロールおよびカンペステロールを最も顕著な種類とする。）、ならびに１１重量％のモノグリセリドおよびジグリセリドを数ある物質の中に含むパーム油派生物だった。この材料は、溶媒として超臨界二酸化炭素を利用する連続運転の抽出カラムに供給された。カラムは、ＳｕｌｚｅｒＥＸ規則充填物で充填され、内径１７．５ｍｍで全高７ｍを有し、その６ｍが充填された。２０〜３０ＭＰａの圧力および３２３〜３５８Ｋの温度を用いて、特にＦＡＭＥ、スクアレンおよびモノグリセリドのみを抽出し、したがって、植物ステロールおよび残留物を含むおそらくより極性が高い化合物であるその他大部分とともに、約７０％トコクロマノールに富化された下部生成物を得ることで、ステロールおよびトコクロマノールを含まない上部生成物を製造することができる。
【００３６】
より長いカラムであれば、下層部から高揮発性成分を完全に除去できる。化学工学的方法によって、ＦＡＭＥ、スクアレンおよびモノグリセリドをトコクロマノール、ステロールおよびその他の低揮発性成分から完全分離するために必要な高さを算出した。結果は、これらの成分の完全分離は、約１５ｍのカラムの高さで、溶媒対原材料比が８０対１４０、還流比が６〜１２、温度が３２３Ｋおよび圧力が２０〜２５ＭＰａに相当する１３段の理論分離段数で可能であるというものだった。
【００３７】
理論的に、トコトリエノールの更なる富化は、超臨界流体を用いる別の向流分離を利用することによって可能なはずである。実験的研究は、トコトリエノールが富化された下部生成物の超臨界二酸化炭素中の溶解度は分離工程のための溶媒とするには低すぎることを明らかにした。従って、溶解性を高めるために、調節剤を基本の超臨界流体である二酸化炭素と混合した。下記の溶媒組成を詳しく調べた。すなわち、プロパン含量が２９％、５５％、および８３％のＣＯ２＋プロパン、および、それぞれの濃度が５および１０重量％であるＣＯ２＋液状有機溶媒すなわちエタノール、イソプロパノール、１−ブタノールおよび酢酸エチルである。測定は、プロパンを用いる実験の場合には５〜３０ＭＰａの範囲の圧力で３２３Ｋ、３４３Ｋ、および３５８Ｋの温度で、液体調節剤を用いる実験の場合には２０ＭＰａの固定圧力で３２３Ｋおよび３４３Ｋの温度でそれぞれ行われた。検討した全ての条件において低揮発性化合物の濃度は気相中で富化されたが、トコトリエノールに関する選択性はステロールが気相に溶解する程度まで減少し、従ってトコトリエノール濃度を更に富化することが不可能になる。
【００３８】
驚くべきことに、下部材料が特別なシリカゲルと混合され、次にこの吸着剤から超臨界二酸化炭素で脱着または抽出された場合には、分離係数は高いままで、上昇さえしたことがわかった。第１分離工程からの下部生成物は所定の量の吸着剤（シリカゲル）と４〜１０の割合で混合された。混合物は固定床としてカラムに導入された。次に、超臨界流体（二酸化炭素）を約１４ＭＰａの圧力と約３３３Ｋの温度で加え、脂肪酸エステルおよびスクアレンなどといった残りの高揮発性成分が脱着された。第２脱着（抽出）工程では、ほとんど同じ温度だが約２５ＭＰａの更に高い圧力にてトコトリエノールが高濃度で脱着された。原材料に対する吸収剤の割合が１０、超臨界二酸化炭素の溶媒比が約３００［ｋｇＣＯ２／ｋｇ原材料および時間］で、原材料の２７％の画分がトコトリエノール７５％の濃度で１時間で得られ、その画分の後、トコトリエノール１００％の濃度で原材料の２５％の別の画分がもう一時間で回収される可能性がある。二酸化炭素およびプロパンの混合物による実験は、可溶性を高めることができた一方で選択性は維持されることを示した。従って、溶媒比は純粋なＣＯ２を用いる場合よりも低い可能性がある。
【００３９】
［カロテノイド］
カロテノイド濃縮物（１〜１０重量％）は、５段階高圧ミキサ・セトラとして組み立てられた連続運転の抽出装置に供給される。この装置による三つの分離工程で、２０ＭＰａ〜３０ＭＰａの圧力および３２３Ｋ〜３５８Ｋの温度において、最大３０重量％までのカロテノイドを含む生成物を製造することが可能だった。この生成物を特別なシリカゲル、好ましくはＺｅｏｆｒｅｅ５１７０である吸着剤に通し、この吸着剤によってカロテノイド、ステロイド、およびその他の物質、ならびに脂肪酸エステルの混合物が吸着される。混合比は４から１０の範囲である。続いて、充填された吸着剤を例えば５ＭＰａと３２３Ｋ、好ましくは２〜７ＭＰａと３１３〜３４３Ｋの範囲の条件にて、最初に超臨界二酸化炭素と接触させ、次に近臨界プロパンと接触させる。二酸化炭素によって主に非カロテノイドが脱着されて溶出され、近臨界プロパンでカロテノイドが脱着される。原材料に対するプロパンの溶媒比は、２０から１００の範囲、好ましくは約３０である。吸着工程において吸着剤の画分のみが原材料に充填された場合には、溶出したカロテノイドの濃度が高められた。
【００４０】
なお、上記の実施の形態では、トコクロマノール画分の製造およびカロテノイド画分の製造について説明したが、本発明のパーム油またはパーム油派生物から天然化合物の高度富化した画分を製造する方法によれば、様々な天然化合物の高濃度富化した画分を製造でき、例えば、ステロール画分およびコエンザイムＱ１０などの天然化合物も製造可能である。
【００４１】
超臨界流体としての超臨界二酸化炭素や近臨界流体としての近臨界プロパンを用いる際の温度は、３１３Ｋ以上３８３Ｋ以下の範囲であり、好ましくは３２３Ｋ以上３６３Ｋ以下の範囲である。
【００４２】
また、超臨界流体としての超臨界二酸化炭素や近臨界流体として近臨界プロパンを用いる際の圧力は、５ＭＰａ以上４５ＭＰａ以下の範囲であり、好ましくは１０ＭＰａ以上３０ＭＰａ以下の範囲である。
【００４３】
さらに、超臨界流体としての超臨界二酸化炭素や近臨界流体として近臨界プロパンを用いる際の溶媒対原材料比は、１以上５００以下の範囲であり、好ましくは５０以上３００以下の範囲である。
【００４４】
また、超臨界流体としての超臨界二酸化炭素や近臨界流体として近臨界プロパンを用いる際のカラム上部の還流比は、０．１以上５０以下の範囲であり、好ましくは２以上２０以下の範囲である。
【００４５】
第２工程において、第１脱着工程および第２脱着工程の二つの圧力工程にて脱着を行うものとしたが、このような構成には限定されず、圧力工程の数は適宜変更可能である。複数の圧力工程とする場合において、上記の説明のように、第１脱着工程が約１４０ｂａｒ、すなわち約１４ＭＰａの圧力で行われ、第２脱着工程が約２５０ｂａｒ、すなわち約２５ＭＰの圧力にて行われる構成には限定されない。例えば、第１脱着工程は、１２ＭＰａ以上１５ＭＰａ以下の圧力が好ましい。また、第２脱着工程は、３１３Ｋ以上３７３Ｋ以下の温度にて、２２ＭＰａ以上３５ＭＰａ以下の圧力が好ましく、より好ましくは２５ＭＰａである。さらに、第３脱着工程を有する場合は、３ＭＰａ以上１０ＭＰａ以下の圧力が好ましく、より好ましくは５ＭＰａ以上７ＭＰａ以下である。
【００４６】
吸着剤は、シリカゲルが好ましく、より好ましくはＺｅｏｆｒｅｅ（登録商標）という特別なシリカゲルである。
【実施例】
【００４７】
［トコクロマノール］
【実施例１】
【００４８】
第１分離工程について説明する。
連続運転の多段階超臨界抽出が、純粋二酸化炭素を溶媒として、５０重量％のトコクロマノール（γ−トコトリエノール、α−トコトリエノール、およびα−トコフェロールを主要成分として含む）、１６重量％のスクアレン、３重量％の植物ステロール（β−シトステロールおよびカンペステロールを最も顕著な種類とする）、ならびに１１重量％のモノグリセリドおよびジグリセリドを含む原材料混合物で行われた。使用されたカラムは６ｍの有効高度を有し、ＳｕｌｚｅｒＥＸ規則充填物で充填された。操作条件は、以下の通りであり、すなわち、２０ＭＰａ、３２３Ｋ、溶媒対原材料比＝１９．８、還流比＝７．３。これらの条件は、２重量％のＦＡＭＥ、５８重量％のスクアレンからなる上層生成物をもたらし、トコクロマノールおよび植物ステロールから完全に取り除かれた。下部生成物は、８重量％のスクアレン、５８重量％のトコクロマノール、４重量％の植物ステロールからなり、ＦＡＭＥを全く含まなかった。
【実施例２】
【００４９】
第１分離工程について説明する。
連続運転の多段階超臨界抽出が、純粋二酸化炭素を溶媒として、５０重量％のトコクロマノール（γ−トコトリエノール、α−トコトリエノール、およびα−トコフェロールを主要成分として含む）、１６重量％のスクアレン、３重量％の植物ステロール（β−シトステロールおよびカンペステロールを最も顕著な種類とする）、ならびに１１重量％のモノグリセリドおよびジグリセリドを含む原材料混合物で行われた。使用されたカラムは６ｍの有効高度を有し、ＳｕｌｚｅｒＥＸ規則充填物で充填された。操作条件は、以下の通りであり、すなわち、２０ＭＰａ、３４３Ｋ、溶媒対原材料比＝４０．３、逆流比＝１．３。これらの条件は、２重量％のＦＡＭＥ、６０重量％のスクアレン、２重量％のトコクロマノールおよび１重量％のステロールを含む上層生成物をもたらした。下部生成物は、７重量％のスクアレン、５４重量％のトコクロマノール、４重量％の植物ステロールを含み、ＦＡＭＥを全く含まなかった。
【実施例３】
【００５０】
トコトリエノールの濃縮画分の製造について説明する。
実施例１から得られた１ｇの下部生成物が原材料として用いられ、１０ｇのシリカゲル、Ｚｅｏｆｒｅｅ５１７０と混合された。混合物は空の容器に導入され、ＦＡＭＥおよびスクアレンを脱着するために超臨界ＣＯ２が１３ＭＰａおよび３３３Ｋで１２０分間用いられた。圧力は２５ＭＰａに加圧され、６０分後、８０重量％のトコクロマノールを含む１画分（０．２７ｇ）が回収された。圧力は更に６０分間一定に保たれ、もう一つの画分（０．２４ｇ）が回収された。この画分はおよそ１００％のトコクロマノールを含む。
【実施例４】
【００５１】
トコトリエノールの濃縮画分の製造について説明する。
実施例１から得られた２．４ｇの下部生成物が原材料として用いられ、１０ｇのシリカゲル、Ｚｅｏｆｒｅｅ５１７０と混合された。混合物は空の容器に導入され、超臨界ＣＯ２がＦＡＭＥおよびスクアレンを脱着するために１３ＭＰａおよび３３３Ｋで６０分間用いられた。圧力は１９ＭＰａに加圧され、更に１２０分後、１画分（１．５９ｇ）が回収された。この画分は８０重量％のトコクロマノールを含む。
【実施例５】
【００５２】
［カロテノイド］
およそ１０重量％のカロテノイドを含むカロテノイド濃縮物は、５０ｍｌの内部体積を有する高圧力パイプ中の吸着剤に通された。１６５ｍ２／ｇの最少表面積のシリカゲルが原材料に対して４：１（１２ｇ：３ｇ）の比で吸着剤として用いられた。次に、最初は１５０ｂａｒおよび６０℃の超臨界二酸化炭素で、次いで２５０ｂａｒおよび６０℃の超臨界二酸化炭素で抽出を行った。第三工程では、近臨界プロパンが７ＭＰａ、６０℃で用いられた。画分は回収された。最終画分は約６０％のカロテノイドからなる。
【図面の簡単な説明】
【００５３】
【図１】従来における混合されたカロテノイドおよびトコトリエノールの濃縮画分を製造する方法を示す工程図である。
【図２】本発明のＳＦＥ技術によるトコクロマノールおよびカロテノイドの濃縮方法を示す工程図である。
【符号の説明】
【００５４】
C1    カラム
C2    カラム
A1    吸着剤
A2    吸着剤
A3    吸着剤
【国際調査報告】
2009530426.tif 000005
2009530426.tif 000006
2009530426.tif 000007